(57)【要約】カメラ制御方法及び端末が開示される。方法は、端末によって該端末の同じ側に位置する第１カメラ及び第２カメラを起動し、第１カメラが第１動作状態で動作することと、端末の動作パラメータが前もってセットされた条件を満たすとき、第１カメラを第１動作状態から、低電力消費状態又は閉鎖状態である第２動作状態へ切り替えることとを含む。
2020516094.tif 000002
【特許請求の範囲】
【請求項１】
端末によって該端末の同じ側に位置する第１カメラ及び第２カメラを起動し、前記第１カメラが第１動作状態で動作することと、
前記端末の動作パラメータが前もってセットされた条件を満たすとき、前記第１カメラを前記第１動作状態から、低電力消費状態又は閉鎖状態である第２動作状態へ切り替えることと
を有するカメラ制御方法。
【請求項２】
前記動作パラメータは、次のもの：
前記第１カメラが起動された後の動作存続期間、
前記端末のバッテリ電圧、
前記第１カメラの撮影パラメータ、又は
前記端末における前もってセットされた領域の温度
のうちの１つ以上を有し、
前記前もってセットされた条件は、次のもの：
前記第１カメラが起動された後の前記動作存続期間が第１の前もってセットされた存続期間よりも長いこと、
前記端末の前記バッテリ電圧が前もってセットされた電圧よりも低いこと、
前記第１カメラの前記撮影パラメータが第１の前もってセットされた値よりも高いこと若しくは前記第１カメラの前記撮影パラメータが第２の前もってセットされた値よりも低いこと、
前記端末における前記前もってセットされた領域の前記温度が第１の前もってセットされた温度よりも高いこと、又は
前記端末における前記前もってセットされた領域の前記温度が、前記第１の前もってセットされた温度よりも低い第２の前もってセットされた温度よりも低いこと
のうちの１つ以上を有する、
請求項１に記載の方法。
【請求項３】
前記第１カメラを前記第１動作状態から第２動作状態へ切り替えることより前に、当該方法は、
前記端末によって、前記第１カメラが前記第２動作状態で動作することを許されると決定すること
を更に有する、
請求項１乃至２のうちいずれか一項に記載の方法。
【請求項４】
前記端末が前記第１カメラの現在の動作状態を前記第１動作状態から前記第２動作状態へ変更した後に、当該方法は、
前記端末によって、前記第１カメラを前記第１動作状態で動作させる事象があるかどうかを検出することと、
前記第１カメラを前記第１動作状態で動作させる前記事象が検出されるとき、前記第１カメラを当該動作状態から前記第１動作状態へ切り替えることと
を更に有する、
請求項１乃至３のうちいずれか一項に記載の方法。
【請求項５】
前記端末によって、前記第１カメラを前記第１動作状態で動作させる事象があるかどうかを検出することは、
前記端末によって、カメラアプリケーションプログラムの実行モードが第２実行モードから第１実行モードへ切り替えられるかどうかを検出することを有し、
前記第１実行モードは、前記第１カメラが前記第２動作状態で動作することを許されない実行モードであり、前記第２実行モードは、前記第１カメラが前記第２動作状態で動作することを許される実行モードである、
請求項４に記載の方法。
【請求項６】
前記端末によって、前記第１カメラを前記第１動作状態で動作させる事象があるかどうかを検出することは、
前記端末によって、ユーザが画像の記録をトリガするかどうかを検出することを有する、
請求項５に記載の方法。
【請求項７】
端末であって、
当該端末の動作パラメータが前もってセットされた条件を満たすかどうかを判定するよう構成される動作パラメータ判定ユニットと、
当該端末の同じ側に位置する第１カメラ及び第２カメラを起動し、前記第１カメラは第１動作状態で動作し、当該端末の前記動作パラメータが前記前もってセットされた条件を満たすと前記動作パラメータ判定ユニットが決定するとき、前記第１カメラを前記第１動作状態から、低電力消費状態又は閉鎖状態である第２動作状態へ切り替えるよう構成されるカメラ制御ユニットと
を有する端末。
【請求項８】
前記動作パラメータは、次のもの：
前記第１カメラが起動された後の動作存続期間、
前記端末のバッテリ電圧、
前記第１カメラの撮影パラメータ、又は
前記端末における前もってセットされた領域の温度
のうちの１つ以上を有し、
前記前もってセットされた条件は、次のもの：
前記第１カメラが起動された後の前記動作存続期間が第１の前もってセットされた存続期間よりも長いこと、
前記端末の前記バッテリ電圧が前もってセットされた電圧よりも低いこと、
前記第１カメラの前記撮影パラメータが第１の前もってセットされた値よりも高いこと若しくは前記第１カメラの前記撮影パラメータが第２の前もってセットされた値よりも低いこと、
前記端末における前記前もってセットされた領域の前記温度が第１の前もってセットされた温度よりも高いこと、又は
前記端末における前記前もってセットされた領域の前記温度が、前記第１の前もってセットされた温度よりも低い第２の前もってセットされた温度よりも低いこと
のうちの１つ以上を有する、
請求項７に記載の端末。
【請求項９】
前記第１カメラを前記第１動作状態から前記第２動作状態へ切り替える前に、前記カメラ制御ユニットは更に、前記第１カメラが前記第２動作状態で動作することを許されると決定し、前記第１カメラが前記第２動作状態で動作することを許される場合に、前記第１カメラを前記第１動作状態から前記第２動作状態へ切り替えるよう構成される、
請求項７乃至８のうちいずれか一項に記載の端末。
【請求項１０】
前記第１カメラを前記第１動作状態から前記第２動作状態へ切り替えた後に、前記カメラ制御ユニットは更に、
前記第１カメラを前記第１動作状態で動作させる事象があるかどうかを検出し、
前記第１カメラを前記第１動作状態で動作させる前記事象が検出されるとき、前記第１カメラを当該動作状態から前記第１動作状態へ切り替える
よう構成される、
請求項７乃至９のうちいずれか一項に記載の端末。
【請求項１１】
前記第１カメラを前記第１動作状態で動作させる事象があるかどうかを検出することは、
カメラアプリケーションプログラムの実行モードが第２実行モードから第１実行モードへ切り替えられるかどうかを検出することであり、
前記第１実行モードは、前記第１カメラが前記第２動作状態で動作することを許されない実行モードであり、前記第２実行モードは、前記第１カメラが前記第２動作状態で動作することを許される実行モードである、
請求項１０に記載の端末。
【請求項１２】
前記第１カメラを前記第１動作状態で動作させる事象があるかどうかを検出することは、当該端末によって、ユーザが画像の記録をトリガするかどうかを検出することである、
請求項１０に記載の端末。
【請求項１３】
端末であって、
第１カメラ及び第２カメラと、
プログラム命令を記憶するよう構成されるメモリと、
前記プログラム命令を実行して、
前記第１カメラ及び前記第２カメラを起動するステップであり、前記第１カメラ及び前記第２カメラが当該端末の同じ側に位置し、前記第１カメラが第１動作状態で動作する、前記ステップと、
当該端末の動作パラメータが前もってセットされた条件を満たすとき、前記第１カメラを前記第１動作状態から、低電力消費状態又は閉鎖状態である第２動作状態へ切り替えるステップと
を実行するよう構成されるプロセッサと
を有する端末。
【請求項１４】
前記動作パラメータは、次のもの：
前記第１カメラが起動された後の動作存続期間、
前記端末のバッテリ電圧、
前記第１カメラの撮影パラメータ、又は
前記端末における前もってセットされた領域の温度
のうちの１つ以上を有し、
前記前もってセットされた条件は、次のもの：
前記第１カメラが起動された後の前記動作存続期間が第１の前もってセットされた存続期間よりも長いこと、
前記端末の前記バッテリ電圧が前もってセットされた電圧よりも低いこと、
前記第１カメラの前記撮影パラメータが第１の前もってセットされた値よりも高いこと若しくは前記第１カメラの前記撮影パラメータが第２の前もってセットされた値よりも低いこと、
前記端末における前記前もってセットされた領域の前記温度が第１の前もってセットされた温度よりも高いこと、又は
前記端末における前記前もってセットされた領域の前記温度が、前記第１の前もってセットされた温度よりも低い第２の前もってセットされた温度よりも低いこと
のうちの１つ以上を有する、
請求項１３に記載の端末。
【請求項１５】
前記プロセッサが前記第１カメラを前記第１動作状態から第２動作状態へ切り替える前に、前記プロセッサは更に、
前記第１カメラが前記第２動作状態で動作することを許されると決定するよう構成される、
請求項１３乃至１４のうちいずれか一項に記載の端末。
【請求項１６】
前記プロセッサが前記第１カメラの現在の動作状態を前記第１動作状態から前記第２動作状態へ変更した後に、前記プロセッサは更に、
前記第１カメラを前記第１動作状態で動作させる事象があるかどうかを検出し、
前記第１カメラを前記第１動作状態で動作させる前記事象が検出されるとき、前記第１カメラを当該動作状態から前記第１動作状態へ切り替える
よう構成される、
請求項１３乃至１５のうちいずれか一項に記載の端末。
【請求項１７】
前記プロセッサが前記第１カメラを前記第１動作状態で動作させる事象があるかどうかを検出することは、
カメラアプリケーションプログラムの実行モードが第２実行モードから第１実行モードへ切り替えられるかどうかを検出することを有し、
前記第１実行モードは、前記第１カメラが前記第１動作状態で動作することに対応する実行モードであり、前記第２実行モードは、前記第１カメラが前記第２動作状態で動作することを許される実行モードである、
請求項１６に記載の端末。
【請求項１８】
当該端末によって、前記第１カメラを前記第１動作状態で動作させる事象があるかどうかを検出することは、
ユーザが画像の記録をトリガするかどうかを検出することを有する、
請求項１６に記載の端末。
【発明の詳細な説明】
【技術分野】
【０００１】
本願は、「CAMERA  CONTROL  METHOD  AND  TERMINAL」と題されて２０１６年１２月２４日付けで中国特許庁に出願された中国特許出願第２０１６１１２１０２０８．１号の優先権を主張するものであり、その全文が参照により本願に援用される。
【０００２】
［技術分野］
本願は、端末デバイスの分野に、特に、カメラ制御方法及び端末に関係がある。
【背景技術】
【０００３】
［背景］
インテリジェント端末は、多様な機能、流行の外観、及び持ち運びやすさにより、人々の日常生活において極めて重要な役割を果たしている。撮影機能は、消費者によって広く好まれており、従って、ほぼ全ての主流端末供給メーカーは、主要なセールスポイントとして撮影機能を精力的に宣伝している。しかし、写真を撮るとき、端末は、撮像するために複数の物理チップを発動する必要がある。より高い撮像品質は、より高い電力消費を示唆する。そのため、端末が写真を撮影しているとき、端末の電力消費は極めて高くなり、端末の温度過上昇をもたらす可能性がある。現在、多くの端末供給メーカーは、デュアルカメラ（camera）を搭載した端末を続けざまに発表している。デュアルカメラを搭載した端末が写真を撮影しているとき、電力消費は更に増大する。その上、端末のバッテリレベルが低く、デュアルカメラが作動するとき、端末は、通常は、写真撮影時の低い温度及び低い電圧により、自動的に活動を停止する。
【０００４】
既存の過熱保護の技術的解決法には、端末が写真を撮影しているときに、端末の温度が前もってセットされた温度閾値を超えることが検出された後、端末の温度、電力消費、負荷を減らすように、カメラ画像フレームレートが下げられることが主にある。
【０００５】
現在のデュアルカメラシナリオでは、既存の過熱保護の技術的解決法が使用される場合に、フレームレートを下げることによって電力消費の一部しか低減され得ず、デュアルカメラシナリオにおける過熱の問題は有意に改善されない。その上、プレビュー表示リフレッシュレートは、フレームレートが低減された後に相当に低下する。そのため、動画が撮影される場合に、像内の物体の速い変化は、動画によってもたらされる直観的な経験に影響を及ぼす可能性があり、結果として、像が断続的に停止することがあり得る。その上、デュアルカメラが作動するときに高電流が生成される可能性があり、結果として、端末は、端末内のチップの低い電圧及び低い温度により、自動的に活動を停止し得る。この問題に対する適切な解決法は存在しない。
【０００６】
従って、カメラ制御方法が、複数台のカメラが作動するときに生成される電力消費によって課される、端末の性能に対する影響を軽減すべく、提供される必要がある。
【発明の概要】
【０００７】
［概要］
本願の実施形態の実施の目的は、マルチカメラシナリオにおいてカメラによって生成される電力消費を減らすように、カメラ制御方法及び端末を提供することである。
【０００８】
本願の実施形態は、カメラ制御方法であって、
端末によって該端末の同じ側に位置する第１カメラ及び第２カメラを起動し、前記第１カメラが第１動作状態で動作することと、
前記端末の動作パラメータが前もってセットされた条件を満たすとき、前記第１カメラを前記第１動作状態から、低電力消費状態又は閉鎖状態である第２動作状態へ切り替えることと
を含む方法を提供する。
【０００９】
前述の方法に従って、動作パラメータが前もってセットされた条件を満たすと決定するとき、端末は、第１カメラを第１動作状態から第２動作状態へ切り替える。第２動作状態は、低電力消費状態又は閉鎖状態であり、従って、第１カメラ及び第２カメラの総電力消費は、携帯電話機の温度を下げるように低減され、それによって、マルチカメラシナリオにおいてカメラによって生成される電力消費を減らすという目的を達成することができる。
【００１０】
任意に、前記動作パラメータは、次のもの：
前記第１カメラが起動された後の動作存続期間、
前記端末のバッテリ電圧、
前記第１カメラの撮影パラメータ、又は
前記端末における前もってセットされた領域の温度
のうちの１つ以上を含み、
前記前もってセットされた条件は、次のもの：
前記第１カメラが起動された後の前記動作存続期間が第１の前もってセットされた存続期間よりも長いこと、
前記端末の前記バッテリ電圧が前もってセットされた電圧よりも低いこと、
前記第１カメラの前記撮影パラメータが第１の前もってセットされた値よりも高いこと若しくは前記第１カメラの前記撮影パラメータが第２の前もってセットされた値よりも低いこと、
前記端末における前記前もってセットされた領域の前記温度が第１の前もってセットされた温度よりも高いこと、又は
前記端末における前記前もってセットされた領域の前記温度が、前記第１の前もってセットされた温度よりも低い第２の前もってセットされた温度よりも低いこと
のうちの１つ以上を含む。
【００１１】
任意に、前記第１カメラを前記第１動作状態から第２動作状態へ切り替えることより前に、当該方法は、
前記端末によって、前記第１カメラが前記第２動作状態で動作することを許されると決定すること
を更に含む。
【００１２】
任意に、前記端末が前記第１カメラの現在の動作状態を前記第１動作状態から前記第２動作状態へ変更した後に、当該方法は、
前記端末によって、前記第１カメラを前記第１動作状態で動作させる事象があるかどうかを検出することと、
前記第１カメラを前記第１動作状態で動作させる前記事象が検出されるとき、前記第１カメラを当該動作状態から前記第１動作状態へ切り替えることと
を更に含む。
【００１３】
任意に、前記端末によって、前記第１カメラを前記第１動作状態で動作させる事象があるかどうかを検出することは、
前記端末によって、カメラアプリケーションプログラムの実行モードが第２実行モードから第１実行モードへ切り替えられるかどうかを検出することを含み、
前記第１実行モードは、前記第１カメラが前記第２動作状態で動作することを許されない実行モードであり、前記第２実行モードは、前記第１カメラが前記第２動作状態で動作することを許される実行モードである。
【００１４】
任意に、前記端末によって、前記第１カメラを前記第１動作状態で動作させる事象があるかどうかを検出することは、
前記端末によって、ユーザが画像の記録をトリガするかどうかを検出することを含む。
【００１５】
本願の実施形態は、端末であって、
当該端末の動作パラメータが前もってセットされた条件を満たすかどうかを判定するよう構成される動作パラメータ判定ユニットと、
当該端末の同じ側に位置する第１カメラ及び第２カメラを起動し、前記第１カメラは第１動作状態で動作し、当該端末の前記動作パラメータが前記前もってセットされた条件を満たすと前記動作パラメータ判定ユニットが決定するとき、前記第１カメラを前記第１動作状態から、低電力消費状態又は閉鎖状態である第２動作状態へ切り替えるよう構成されるカメラ制御ユニットと
を含む端末を提供する。
【００１６】
任意に、前記動作パラメータは、次のもの：
前記第１カメラが起動された後の動作存続期間、
前記端末のバッテリ電圧、
前記第１カメラの撮影パラメータ、又は
前記端末における前もってセットされた領域の温度
のうちの１つ以上を含み、
前記前もってセットされた条件は、次のもの：
前記第１カメラが起動された後の前記動作存続期間が第１の前もってセットされた存続期間よりも長いこと、
前記端末の前記バッテリ電圧が前もってセットされた電圧よりも低いこと、
前記第１カメラの前記撮影パラメータが第１の前もってセットされた値よりも高いこと若しくは前記第１カメラの前記撮影パラメータが第２の前もってセットされた値よりも低いこと、
前記端末における前記前もってセットされた領域の前記温度が第１の前もってセットされた温度よりも高いこと、又は
前記端末における前記前もってセットされた領域の前記温度が、前記第１の前もってセットされた温度よりも低い第２の前もってセットされた温度よりも低いこと
のうちの１つ以上を含む。
【００１７】
任意に、前記第１カメラを前記第１動作状態から前記第２動作状態へ切り替える前に、前記カメラ制御ユニットは更に、前記第１カメラが前記第２動作状態で動作することを許されると決定し、前記第１カメラが前記第２動作状態で動作することを許される場合に、前記第１カメラを前記第１動作状態から前記第２動作状態へ切り替えるよう構成される。
【００１８】
任意に、前記第１カメラを前記第１動作状態から前記第２動作状態へ切り替えた後に、前記カメラ制御ユニットは更に、
前記第１カメラを前記第１動作状態で動作させる事象があるかどうかを検出し、
前記第１カメラを前記第１動作状態で動作させる前記事象が検出されるとき、前記第１カメラを当該動作状態から前記第１動作状態へ切り替える
よう構成される。
【００１９】
任意に、前記第１カメラを前記第１動作状態で動作させる事象があるかどうかを検出することは、
カメラアプリケーションプログラムの実行モードが第２実行モードから第１実行モードへ切り替えられるかどうかを検出することであり、
前記第１実行モードは、前記第１カメラが前記第２動作状態で動作することを許されない実行モードであり、前記第２実行モードは、前記第１カメラが前記第２動作状態で動作することを許される実行モードである。
【００２０】
任意に、前記第１カメラを前記第１動作状態で動作させる事象があるかどうかを検出することは、当該端末によって、ユーザが画像の記録をトリガするかどうかを検出することである。
【００２１】
本願の実施形態は、端末であって、
第１カメラ及び第２カメラと、
プログラム命令を記憶するよう構成されるメモリと、
前記プログラム命令を実行して、
前記第１カメラ及び前記第２カメラを起動するステップであり、前記第１カメラ及び前記第２カメラが当該端末の同じ側に位置し、前記第１カメラが第１動作状態で動作する、前記ステップと、
当該端末の動作パラメータが前もってセットされた条件を満たすとき、前記第１カメラを前記第１動作状態から、低電力消費状態又は閉鎖状態である第２動作状態へ切り替えるステップと
を実行するよう構成されるプロセッサと
を含む端末を提供する。
【００２２】
任意に、前記動作パラメータは、次のもの：
前記第１カメラが起動された後の動作存続期間、
前記端末のバッテリ電圧、
前記第１カメラの撮影パラメータ、又は
前記端末における前もってセットされた領域の温度
のうちの１つ以上を含み、
前記前もってセットされた条件は、次のもの：
前記第１カメラが起動された後の前記動作存続期間が第１の前もってセットされた存続期間よりも長いこと、
前記端末の前記バッテリ電圧が前もってセットされた電圧よりも低いこと、
前記第１カメラの前記撮影パラメータが第１の前もってセットされた値よりも高いこと若しくは前記第１カメラの前記撮影パラメータが第２の前もってセットされた値よりも低いこと、
前記端末における前記前もってセットされた領域の前記温度が第１の前もってセットされた温度よりも高いこと、又は
前記端末における前記前もってセットされた領域の前記温度が、前記第１の前もってセットされた温度よりも低い第２の前もってセットされた温度よりも低いこと
のうちの１つ以上を含む。
【００２３】
任意に、前記プロセッサが前記第１カメラを前記第１動作状態から第２動作状態へ切り替える前に、前記プロセッサは更に、
前記第１カメラが前記第２動作状態で動作することを許されると決定するよう構成される。
【００２４】
任意に、前記プロセッサが前記第１カメラの現在の動作状態を前記第１動作状態から前記第２動作状態へ変更した後に、前記プロセッサは更に、
前記第１カメラを前記第１動作状態で動作させる事象があるかどうかを検出し、
前記第１カメラを前記第１動作状態で動作させる前記事象が検出されるとき、前記第１カメラを当該動作状態から前記第１動作状態へ切り替える
よう構成される。
【００２５】
任意に、前記プロセッサが前記第１カメラを前記第１動作状態で動作させる事象があるかどうかを検出することは、
カメラアプリケーションプログラムの実行モードが第２実行モードから第１実行モードへ切り替えられるかどうかを検出することを含み、
前記第１実行モードは、前記第１カメラが前記第１動作状態で動作することに対応する実行モードであり、前記第２実行モードは、前記第１カメラが前記第２動作状態で動作することを許される実行モードである。
【００２６】
任意に、当該端末によって、前記第１カメラを前記第１動作状態で動作させる事象があるかどうかを検出することは、
ユーザが画像の記録をトリガするかどうかを検出することを含む。
【００２７】
本願の実施形態は、コンピュータ可読記憶媒体を提供する。コンピュータ可読記憶媒体は命令を記憶し、命令がコンピュータで実行されるときに、コンピュータは、前述の態様に従う方法を実行する。
【００２８】
本願の実施形態は、命令を含むコンピュータプログラム製品を提供する。コンピュータプログラム製品がコンピュータで実行されるときに、コンピュータは、前述の態様に従う方法を実行する。
【図面の簡単な説明】
【００２９】
［図面の簡単な説明］
【図１】本願の実施形態に従うカメラ制御方法の略フローチャートである。
【図２】第１カメラ及び第２カメラの位置の概略図である。
【図３】本願の実施形態に従う領域分割の概略図である。
【図４】本願の実施形態に従うカメラ制御方法の略フローチャートである。
【図５】本願の実施形態に従うカメラ制御方法の略フローチャートである。
【図６】本願の実施形態に従うカメラアプリケーションプログラムの概略図である。
【図７】本願の実施形態に従う端末の略構造図である。
【図８】本願の実施形態に従う端末の略構造図である。
【図９】本願の実施形態に従うカメラ制御方法の略フローチャートである。
【図１０】本願の実施形態に従うカメラ制御方法の略フローチャートである。
【発明を実施するための形態】
【００３０】
［実施形態の説明］
以下は、添付の図面を参照して詳細に本願の実施形態について更に記載する。
【００３１】
本願の実施形態で使用される語は、単に、具体的な実施形態を説明することを目的とし、本願を制限する意図はない。また、ここで使用される語「及び／又は」は、１つ以上の関連した列挙されている事項のありとあらゆる可能な組み合わせを示唆及び包含することも理解されるべきである。その上、本明細書中の文字「／」は、一般に、関連した物どうしの“論理和”関係を示唆する。
【００３２】
語「第１」、「第２」、「第３」、などは、様々なメッセージ、リクエスト、及び端末について記載するために本願の実施形態で使用されることがあり、端末はそれらの語によって制限されないことが理解されるべきである。それらの語は、メッセージ、リクエスト、及び端末を区別するためにしか使用されない。例えば、本願の実施形態の適用範囲から外れることなしに、第１端末はまた、第２端末を指すこともあり、同様に、第２端末はまた、第１端末を指すこともある。
【００３３】
文脈に応じて、例えば、ここで使用される語「〜の場合」又は「〜という条件で」は、「〜する間」又は「〜のとき」又は「〜を決定することに応答して」又は「検出に応答して」と説明されることがある。同様に、文脈に応じて、「〜を決定する場合」又は「（述べられている条件若しくは事象）を検出する場合」は、「〜を決定するとき」又は「〜を決定することに応答して」又は「（述べられている条件若しくは事象）を検出するとき」又は「（述べられている条件若しくは事象）を検出することに応答して」と説明されることがある。
【００３４】
本願の実施形態において、ユーザ機器（User  Equipment，ＵＥ）とも呼ばれる端末は、ユーザに対する音声及び／又はデータ接続性を提供するデバイス、例えば、無線接続機能を備えた携帯型デバイス、又は車載型デバイスである。例えば、一般的な端末には、携帯電話機、タブレット・コンピュータ、ノートブック・コンピュータ、パームトップ・コンピュータ、モバイル・インターネット・デバイス（mobile  Internet  device，ＭＩＤ）、及びスマートウォッチ、スマートバンド、若しくはペドメーターのようなウェアラブル機器がある。
【００３５】
前述の記載を参照して、図１に示されるように、図１は、本願の実施形態に従うカメラ制御方法の略フローチャートである。
【００３６】
図１を参照すると、方法は、次のステップを含む。
【００３７】
ステップ１０１：端末は第１カメラ及び第２カメラを起動し、ここで、第１カメラ及び第２カメラは端末の同じ側に位置し、第１カメラは第１動作状態で動作する。
【００３８】
本願のこの実施形態では、端末は少なくとも２台のカメラを含み得ることが留意されるべきである。端末が少なくとも２台のカメラを含む場合に、第１カメラ及び第２カメラは、少なくとも２台のカメラのうちのいずれか２台であってよく、少なくとも２台のカメラの夫々は、本願のこの実施形態で提供されるカメラ制御方法に適用可能である。以下は、記載のための例として第１カメラ及び第２カメラのみを使用し、他の状況は詳細には記載されない。
【００３９】
第１カメラは第１動作状態で動作する。第１動作状態は、第１カメラが画像捕捉を実施することができる動作状態であってよく、通常動作状態と呼ばれ得る。
【００４０】
ステップ１０２：端末の動作パラメータが前もってセットされた条件を満たすとき、第１カメラを第１動作状態から第２動作状態へ切り替え、ここで、第２動作状態は、低電力消費状態又は閉鎖状態である。
【００４１】
第２動作状態にある第１カメラの電力消費は、第１動作状態にある第１カメラの電力消費よりも小さい。
【００４２】
ステップ１０１で、第１カメラ及び第２カメラは、同じ構成を有するカメラであってよく、あるいは、異なる構成を有するカメラであってもよい。例えば、第１カメラは、モノクロ画像を収集するよう明るさ又は薄暗さを記録するモノクロセンサを含んでよく、第２カメラは、カラー画像を収集するようカラーセンサを含んでよい。端末は、光学ズーム、薄暗い光の補償、３Ｄ撮影、及び３Ｄモデリングのような機能を実装するよう、第１カメラによって集められた画像信号と、第２カメラによって集められた画像信号とに対して合成処理を実行し得る。前述の記載を参照して、第１カメラがモノクロ画像を収集し、第２カメラがカラー画像を収集する場合に、端末は、実際の色再現により高精細画像を最終的に生成するようモノクロ画像とカラー画像とを合成し得る。
【００４３】
第１カメラ及び第２カメラは、端末の同じ側に位置し、第１カメラと第２カメラとの間の距離は、前もってセットされた距離である。図２は、第１カメラ及び第２カメラの位置の概略図である。
【００４４】
ステップ１０２で、第１カメラ及び第２カメラを動作させるよう制御するために使用されるカメラアプリケーションプログラムが端末に存在してよく、ユーザは、カメラアプリケーションプログラムを使用することによって、画像を収集するよう第１カメラ及び第２カメラを制御する。
【００４５】
本願のこの実施形態で、カメラアプリケーションプログラムは、端末内にあって、画像を収集するよう第１カメラ及び第２カメラを制御するプログラムであってよく、端末の納入に付随したプログラムであってよく、あるいは、ダウンロード及びインストールされるプログラムであってよい。
【００４６】
カメラアプリケーションプログラムは、ワイドアパチャーモード、パノラマモード、ビデオ撮影モード、遅延撮影モード、及びピクチャモードのような複数の実行モードを有し得る。カメラアプリケーションプログラムが異なる実行モードにセットされる場合に、画像を収集するために第１カメラ及び第２カメラの夫々によって必要とされる電力消費は異なり、必要とされるカメラの数は異なる。例えば、ワイドアパチャーモードでは、第１カメラ及び第２カメラは、カメラアプリケーションプログラムにおいて同時に画像を収集する必要があり、例えば、ピクチャモードでは、カメラアプリケーションプログラムは、画像を収集するために第２カメラのみを制御すればよく、この場合に、第１カメラは、低電力消費状態又は閉鎖状態にある。
【００４７】
カメラアプリケーションプログラムの実行モードは、第１実行モード及び第２実行モードを含んでよい。第１実行モードは、ワイドアパチャーモードのような、第１カメラが第１動作状態で動作する必要がある実行モードであり、第２実行モードは、ピクチャモード又はビデオ撮影モードのような、第１カメラが第２動作状態で動作することを許される実行モードである。異なる端末又はカメラアプリケーションプログラムは、異なる第１実行モード及び第２実行モードを設定してよく、例えば、ピクチャモードが第１実行モードである。これは、本発明のこの実施形態において制限されない。
【００４８】
第１動作状態は、端末内のカメラアプリケーションプログラムが上記のいずれかの実行モードで動作するときの第１カメラの動作状態であってよい。確かに、第１動作状態は、代替的に、他の動作状態であってよく、例は、ここで１つずつ与えられない。
【００４９】
本願のこの実施形態で、第２動作状態は、低電力消費モード又は閉鎖状態のような動作状態であってよい。低電力消費モードで動作するとき、第１カメラはスリープ状態にあり、電力消費が極めて低くなり得る。例えば、カメラアプリケーションプログラムがピクチャモードにあるとき、第１カメラは第１動作状態にあり、動作電流は１００ｍＡであり、第１カメラが低電力消費モードで動作するときに生成される動作電流は４ｍＡであり得る。第１カメラが閉鎖状態で動作するとき、電力消費は０であるか、又は無限に０に近くなり得る。第１カメラは、第２動作状態では画像を収集することができない。
【００５０】
本願のこの実施形態で、カメラはレンズ、モータシステム、撮像チップ、などを含んでよい。モータシステム及び撮像チップは、カメラの電力消費の主たる原因である。第１カメラについて、第１カメラが低電力消費モードで動作することは、第１カメラのレンズ、第１カメラのモータシステム、又は第１カメラの撮像チップのうちの１つ以上がスリープ状態のような低電力消費モードにあることであってよく、相応して、第１カメラが閉鎖状態で動作することは、第１カメラのレンズ、第１カメラのモータシステム、又は第１カメラの撮像チップのうちの１つ以上が閉鎖状態にあることであってよい。
【００５１】
本願のこの実施形態で、端末の動作パラメータは、次のもの：端末の第１カメラが起動される場合の動作存続期間、端末のバッテリ電圧、第１カメラの撮影パラメータ、又は端末における前もってセットされた領域の温度、のうちの１つ以上を含んでよい。相応して、前もってセットされた条件は、制限なしに、次のもの：
第１カメラが起動された後の動作存続期間が、第１の前もってセットされた存続期間よりも長いこと、
端末のバッテリ電圧が、前もってセットされた電圧よりも低いこと、
端末のバッテリレベルが、前もってセットされたバッテリレベルよりも低いこと、
第１カメラの撮影パラメータが、第１の前もってセットされた値よりも高いこと、若しくは第１カメラの撮影パラメータが、第２の前もってセットされた値よりも低いこと、ここで、撮影パラメータの値は、カメラのインプレッションパラメータ又はピクチャＩＳＯ値のようなパラメータであってよい、
端末における前もってセットされた領域の温度が、第１の前もってセットされた温度よりも高いこと、又は
端末における前もってセットされた領域の温度が、第２の前もってセットされた温度よりも低く、第２の前もってセットされた温度は第１の前もってセットされた温度よりも低いこと
のうちの１つ以上を含んでよい。
【００５２】
例えば、第１カメラが起動された後の動作存続期間が第１の前もってセットされた存続期間よりも長く、且つ、端末における前もってセットされた領域における温度が第１の前もってセットされた温度よりも高いと端末が決定する場合には、端末の動作パラメータは前もってセットされた条件を満たすと決定され得る。
【００５３】
他の例として、端末における前もってセットされた領域の温度が第２の前もってセットされた温度よりも低く、且つ、端末のバッテリ電圧が前もってセットされた電圧よりも低いと端末が決定する場合に、端末の動作パラメータは前もってセットされた条件を満たすと決定され得る。
【００５４】
任意に、端末の動作パラメータは、代替的に、第１カメラ及び第２カメラの総電力消費であってよく、この場合に、前もってセットされた条件は、第１カメラ及び第２カメラの総電力消費が電力消費閾値よりも大きいことであってよい。端末は、第１カメラ及び第２カメラの総電力消費を直接決定し得る。具体的に、端末は、第１カメラの電力消費及び第２カメラの電力消費を別々に計算して第１カメラ及び第２カメラの総電力消費を決定するために、第１カメラの動作電圧及び動作電流を取得し、第２カメラの動作電圧及び動作電流を取得する。
【００５５】
確かに、前述の記載は例にすぎない。前もってセットされた条件は、代替的に、他の方法で組み合わされてもよく、例は、ここで１つずつ与えられない。
【００５６】
本願のこの実施形態で、端末は、バッテリ、電力管理チップ、又はクーロンカウンタのようなモジュールのフィードバック信号を使用することによって、バッテリ電圧を決定し得ることが留意されるべきである。確かに、他の方法が、代替的に、バッテリ電圧を決定するために端末によって使用されてよく、これは、本願のこの実施形態において制限されない。
【００５７】
本願のこの実施形態で、端末は、内部で複数の領域に分割されてよく、少なくとも１つの温度センサが各領域に配置されてよい。端末は、各領域の温度を決定するよう、温度センサによって測定された温度をリアルタイムで読み出してよい。例えば、図３に示されるように、図３は、本願の実施形態に従う領域分割の概略図である。図３では、端末は、全部で８つの領域、すなわち、領域１から領域８に分割されている。少なくとも１つの温度センサが各領域に配置されており、端末は、温度センサを使用することによって各領域の温度を決定し得る。
【００５８】
本願のこの実施形態で、前もってセットされた領域は、端末内のいずれかの領域であってよく、具体的には、実際の状況に基づき決定されてよい。端末は、前もってセットされた領域内の全ての温度センサによって読み出される温度の中で最も高い温度を、前もってセットされた領域の温度として使用するか、あるいは、全ての温度センサによって測定された全ての温度の平均値を、前もってセットされた領域の温度として使用してよい。任意に、前もってセットされた領域の温度は、代替的に、重み付け演算が端末内の複数の領域の温度に対して実行された後に得られる平均値であってよい。例えば、図３を参照して、端末は、端末内の領域１から領域８までの温度の平均値を計算し、領域１から領域８までの温度の平均値を、前もってセットされた領域の温度として使用する。
【００５９】
確かに、他の方法が、代替的に、前もってセットされた領域の温度を決定するために使用されてもよい。詳細は、ここでは記載されない。
【００６０】
任意に、前もってセットされた領域は、第１カメラ及び／又は第２カメラが位置する領域である。
【００６１】
端末内の温度センサのタイプは、本願のこの実施形態において制限されないことが留意されるべきであり、例えば、温度センサは、負温度係数（Negative  temperature  coefficient，ＮＴＣ）温度センサであってよい。
【００６２】
任意に、端末の動作パラメータが前もってセットされた条件を満たすと決定する前に、端末は更に、第１カメラが第２動作状態で動作することを許されるかどうかを判定する必要がある。具体的に、第１カメラが第２動作状態で動作することを許されると端末が決定する場合に、ステップ１０２が実行され、あるいは、第１カメラが第２動作状態で動作することを許されないと端末が決定する場合には、第１カメラは依然として第１動作状態で動作する。
【００６３】
第１カメラが第２動作状態で動作することを許されるかどうかを端末が判定する方法は、本願のこの実施形態において制限されないことが留意されるべきである。例えば、ユーザは、ソフトウェアを使用することによって、第１カメラが第２動作状態で動作することを許されるかどうかをセットしてよく、例えば、ユーザは、カメラアプリケーションプログラムを使用することによって、第１カメラが第２動作状態で動作することを許されるかどうかをセットする。第１カメラが第２動作状態で動作することを許されるようセットされていると端末が決定する場合に、第１カメラは第２動作状態で動作することを許されていると決定される。
【００６４】
他の例として、端末は、カメラアプリケーションプログラムを使用することによって、現在の実行モードが前もってセットされたモードであるかどうかを判定してよい。現在の動作モードが前もってセットされたモードである場合に、第１カメラは第２動作状態で動作することを許されないと決定される。例えば、前もってセットされたモードはワイドアパチャーモードであり、カメラアプリケーションプログラムが現在ワイドアパチャーモードで動作していると端末が決定する場合に、第１カメラは第２動作状態で動作することを許されないと決定され得る。
【００６５】
確かに、前述の記載は例にすぎない。端末は、代替的に、他の方法で、第１カメラが第２動作状態で動作することを許されないかどうかを判定してよく、例は、ここで１つずつ与えられない。
【００６６】
端末が第１カメラの現在の動作状態を第１動作状態から第２動作状態へ変更した後、第２カメラの動作状態は不変なままであってよい。第２動作状態にある第１カメラの電力消費は、第１動作状態にある第１カメラの電力消費よりも少ないので、第１カメラの電力消費は、第１カメラ及び第２カメラの総電力消費を減らすように低減され得る。
【００６７】
更に、第２動作状態で動作するよう第１カメラをセットした後、端末は更に、必要条件に基づき、第１カメラを使用することによって画像を収集するために、第１動作状態で動作するよう第１カメラをセットしてよい。具体的に、ユーザは、端末内のカメラアプリケーションプログラムの実行モードを第１実行モードにセットする。第１実行モードで実行されるカメラアプリケーションプログラムは、画像を収集するために第１動作状態で動作する第１カメラを使用する必要がある。第１実行モードは、ワイドアパチャーモード、などであってよい。この場合に、端末内のカメラアプリケーションプログラムが第１実行モードで動作する必要があると決定するとき、端末は、第１カメラが第１動作状態で動作する必要があると決定し得る。
【００６８】
以下は、具体的な実施形態を参照して上記のプロセスについて記載する。
【００６９】
図４に示されるように、図４は、本願の実施形態に従うカメラ制御方法の略フローチャートである。
【００７０】
ステップ４０１：端末は、第１カメラ及び第２カメラを起動する。
【００７１】
端末は、カメラアプリケーションプログラムを起動するユーザ命令を受け取った後に、第１カメラ及び第２カメラを起動してよい。カメラアプリケーションプログラムの実行モードは、ワイドアパチャーモード、パノラマモード、ビデオ撮影モード、遅延撮影モード、及びピクチャモードのうちのいずれか１つであってよい。第１カメラは第１動作状態で動作し、第１カメラは、第１動作状態で動作するときに画像を収集し得る。ユーザは、いつでも、端末に、カメラアプリケーションプログラムから出るよう指示してよいことが留意されるべきである。本願のこの実施形態で、ステップ４０５でカメラアプリケーションプログラムから出るべきかどうかを決定することは、例にすぎない。他の場合については、ここでの記載が参照されてよく、詳細は、ここで記載されない。
【００７２】
ステップ４０２：端末は、第１カメラが第２動作状態で動作することを許されるかどうかを判定し、第１カメラが第２動作状態で動作することを許される場合には、ステップ４０３へ進み、あるいは、第１カメラが第２動作状態で動作することを許されない場合には、ステップ４０２へ進む。
【００７３】
第２動作状態は、スリープ状態又は閉鎖状態であってよい。例えば、カメラアプリケーションプログラムの実行モードがワイドアパチャー実行モードであるとき、第１カメラ及び第２カメラは、画像を同時に収集する必要があり、この場合に、第１カメラは、第２動作状態で動作することを許されず、カメラアプリケーションプログラムの実行モードがピクチャモードであるとき、第２カメラは、独立して写真を撮影してよく、従って、この場合に、第１カメラは、第２動作状態で動作することを許される。
【００７４】
ステップ４０３：端末は、端末の動作パラメータが前もってセットされた条件を満たすかどうかを判定し、端末の動作パラメータが前もってセットされた条件を満たす場合には、ステップ４０４へ進み、端末の動作パラメータが前もってセットされた条件を満たさない場合には、ステップ４０３へ進む。
【００７５】
ステップ４０２からステップ４０３の間の実行順序は、本願のこの実施形態において制限されない。ステップ４０２は、代替的に、ステップ４０３の後に実行されてよく、すなわち、端末の動作パラメータが前もってセットされた条件を満たすかどうかが最初に判定され、端末の動作パラメータが前もってセットされた条件を満たす場合に、第１カメラが第２動作状態で動作することを許されるかどうかが判定され、第１カメラが第２動作状態で動作することを許されないと決定される場合に、ステップ４０４へ進む。
【００７６】
端末の動作パラメータは、第１カメラが起動された後の動作存続期間、及び端末内における前もってセットされた領域の温度であってよく、そして、前もってセットされた条件は、第１カメラが起動された後の動作存続期間が第１の前もってセットされた存続期間よりも長いこと、及び端末における前もってセットされた領域の温度が第１の前もってセットされた温度よりも高いことである。
【００７７】
端末の動作パラメータは、代替的に、バッテリ電圧又はバッテリレベルであってよく、そして、前もってセットされた条件は、バッテリ電圧が前もってセットされた電圧よりも低いこと、又はバッテリレベルが前もってセットされたレベルよりも低いことである。
【００７８】
端末は、第１カメラ及び第２カメラを起動するときにタイマを開始してよい。タイマの計時存続期間が第１の前もってセットされた存続期間であるとき、アラームが発生する。
【００７９】
端末は、ステップ４０４へ進むときにタイマをリセットしてよい。確かに、ステップ４０４へ進むとき、端末は、端末がカメラアプリケーションプログラムから出るまでタイマをリセットしなくてもよい。これは、本願のこの実施形態において制限されない。
【００８０】
端末が前もってセットされた領域の温度を決定する方法については、前述の記載が参照されてよく、詳細は、ここでは記載されない。
【００８１】
ステップ４０４：端末は、第２動作状態で動作するよう第１カメラをセットする。
【００８２】
第２動作状態は、端末の電力消費を減らすように、低電力消費状態又は閉鎖状態であってよい。
【００８３】
ステップ４０５：端末は、カメラアプリケーションプログラムから出るべきかどうかを判定し、端末がカメラアプリケーションプログラムから出ると決定する場合には、ステップ４０８へ進み、あるいは、端末がカメラアプリケーションプログラムから出ないと決定する場合には、ステップ４０６へ進む。
【００８４】
任意に、ステップ４０６：端末は、第１カメラが第１動作状態で動作する必要があるかどうかを判定し、第１カメラが第１動作状態で動作する必要がある場合には、ステップ４０７へ進み、第１カメラが第１動作状態で動作する必要がない場合には、ステップ４０５へ進む。
【００８５】
カメラアプリケーションプログラムの実行モードが第２実行モードから第１実行モードへ切り替えられるとき、第１カメラは第１動作状態で動作する必要がある。例えば、ユーザによって選択されたカメラアプリケーションプログラムの実行モードがワイドアパチャーモードへ切り替えられることが検出されるとき、第１カメラ及び第２カメラは一緒に画像を収集する必要があり、すなわち、端末は、第１カメラが第１動作状態で動作する必要があると決定し、あるいは、ユーザによって選択されたカメラアプリケーションプログラムの実行モードがビデオ撮影モードへ切り替えられることが検出される場合に、第２カメラは独立して画像を依然として収集してよく、従って、端末は、第１カメラが第１動作状態で動作する必要がないと決定する。
【００８６】
任意に、カメラアプリケーションプログラムの実行モードが依然として第２実行モードであるとき、且つ、画像の記録をトリガするユーザ操作が検出されるとき、第１カメラは、第１動作状態で動作するようセットされる。例えば、カメラアプリケーションプログラムがピクチャモードで実行されるとき、第１カメラは、第２動作状態で動作することを許される。端末の動作パラメータが前もってセットされた条件を満たすとき、第１カメラの動作状態は第２動作状態にセットされる。ユーザが撮影ボタンを押すとき、画像はこの時点で記録される必要があり、すなわち、撮影が、写真を生成するよう実行される必要がある。写真の品質を確かにするよう、第１カメラの動作状態は、ユーザが撮影ボタンを押した後に第１動作状態へ切り替えられてよい。第１カメラ及び第２カメラは、ピクチャを形成するよう一緒に画像を収集する。
【００８７】
確かに、前述の記載は、例にすぎない。端末は、代替的に、他の方法で、第１カメラが第１動作状態で動作する必要があるかどうかを判定してよい。
【００８８】
ステップ４０７：端末は、第１動作状態で動作するよう第１カメラをセットし、ステップ４０２へ進む。
【００８９】
ステップ４０８：終了。
【００９０】
カメラアプリケーションプログラムが実行から脱するとき、第１カメラ及び第２カメラは閉鎖される。
【００９１】
カメラアプリケーションプログラムが起動された後、第２カメラは、カメラアプリケーションプログラムが実行から脱するまで画像収集状態にあってよい。確かに、カメラアプリケーションプログラムがバックグラウンドで実行されるときに第２カメラが閉鎖されるか又は休止している場合は、取り上げられない。本願のこの実施形態は、カメラアプリケーションプログラムが起動された後にユーザがカメラアプリケーションプログラムを使用する場合に主に適用される。
【００９２】
上記の実施形態で、第１カメラが第１動作状態で動作するとき、対応するカメラアプリケーションプログラムは、第１実行モード及び第２実行モードのうちの如何なる実行モードでも実行されてよく、様々な実行モードの間で切り替えられてよい。例えば、第１カメラが第１動作状態で動作するとき、対応するカメラアプリケーションプログラムは、ワイドアパチャーモード、ピクチャモード、遅延撮影モード、又はビデオ撮影モードのうちの如何なるモードでも実行されてよく、それらのモードの間で切り替えられてよい。
【００９３】
第１カメラが第１動作状態で動作するとき、対応するカメラアプリケーションプログラムの実行モードは、第１動作サブ状態、第２動作サブ状態、第３動作サブ状態、などに分けられてよい。例えば、第１動作サブ状態がビデオ撮影状態である場合に、対応するカメラアプリケーションプログラムの実行モードはビデオ撮影モードであり、第２動作サブ状態がワイドアパチャー状態である場合に、対応するカメラアプリケーションプログラムの実行モードはワイドアパチャーモードであり、あるいは、第３動作サブ状態がピクチャ状態である場合に、対応するカメラアプリケーションプログラムの実行モードはピクチャモードである。
【００９４】
図５に示されるように、図５は、本願の実施形態に従うカメラ制御方法の略フローチャートである。この実施形態で、第１動作サブ状態がビデオ撮影状態である場合に、対応するカメラアプリケーションプログラムの実行モードはビデオ撮影モードであり、第２動作サブ状態がワイドアパチャー状態である場合に、対応するカメラアプリケーションプログラムの実行モードはワイドアパチャーモードであり、第３動作サブ状態がピクチャ状態である場合に、対応するカメラアプリケーションプログラムの実行モードはピクチャモードである。
【００９５】
カメラアプリケーションプログラムの第１実行モードは、ワイドアパチャーモードを含み、第２実行モードは、ピクチャモード及びビデオ撮影モードを含む。
【００９６】
図５に示されるプロシージャにおいて、前もってセットされた条件は、第１カメラが起動される場合の動作存続期間が第１の前もってセットされた存続期間よりも長いこと、及び端末における前もってセットされた領域の温度が第１の前もってセットされた温度よりも高いことである。
【００９７】
図５では、端末が第１カメラを起動するとき、第１カメラの動作状態は第１動作サブ状態であり、第１カメラが低電力消費状態にあるか又は閉鎖されているとき、第１カメラの動作状態は第２動作状態であり、カメラアプリケーションプログラムが第１実行モードで実行されるとき、第１カメラは相応して第２動作サブ状態で動作する必要がある。
【００９８】
ステップ５０１：端末は、第１カメラ及び第２カメラを起動する。
【００９９】
端末は、カメラアプリケーションプログラムを起動するユーザ命令を受け取った後に、第１カメラ及び第２カメラを起動してよい。ユーザは、いつでも、端末に、カメラアプリケーションプログラムから出るよう指示してよいことが留意されるべきである。本願のこの実施形態で、ステップ５０５でカメラアプリケーションプログラムから出るべきかどうかを決定することは、例にすぎない。他の場合については、ここでの記載が参照されてよく、詳細は、ここで記載されない。
【０１００】
ステップ５０２：端末は、第１カメラが第２動作状態で動作することを許されるかどうかを判定し、第１カメラが第２動作状態で動作することを許される場合には、ステップ５０３へ進み、あるいは、第１カメラが第２動作状態で動作することを許されない場合には、ステップ５０２へ進む。
【０１０１】
この場合に、カメラアプリケーションプログラムはビデオ撮影モードで実行され、従って、第１カメラは第２動作状態で動作することを許される。
【０１０２】
ステップ５０３：端末は、第１カメラが起動された後の動作存続期間が第１の前もってセットされた存続期間よりも長いかどうかと、端末における前もってセットされた領域の温度が第１の前もってセットされた温度よりも高いかどうかとを判定し、第１カメラが起動された後の動作存続期間が第１の前もってセットされた存続期間よりも長く、且つ、端末における前もってセットされた領域の温度が第１の前もってセットされた温度よりも高い場合に、ステップ５０４へ進み、あるいは、第１カメラが起動された後の動作存続期間が第１の前もってセットされた存続期間よりも長くなく、且つ／あるいは、端末における前もってセットされた領域の温度が第１の前もってセットされた温度よりも高くない場合に、ステップ５０３へ進む。
【０１０３】
端末は、第１カメラ及び第２カメラを起動するときにタイマを開始してよい。タイマの計時存続期間が第１の前もってセットされた存続期間であるとき、アラームが発生する。
【０１０４】
ステップ５０２からステップ５０３の間の実行順序は、本願のこの実施形態において制限されない。ステップ５０２は、代替的に、ステップ５０３の後に実行されてよく、すなわち、第１カメラが起動された後の動作存続期間が第１の前もってセットされた存続期間よりも長いかどうかと、端末における前もってセットされた領域の温度が第１の前もってセットされた温度よりも高いかどうかとが最初に判定される。上記の条件の両方が満足される場合に、第１カメラが第２動作状態で動作することを許されるかどうかが判定され、第１カメラが第２動作状態で動作することを許されないと決定される場合に、ステップ５０４へ進む。
【０１０５】
端末は、ステップ５０４へ進むときにタイマをリセットしてよい。確かに、ステップ５０４へ進むとき、端末は、端末がカメラアプリケーションプログラムから出るまでタイマをリセットしなくてもよい。これは、本願のこの実施形態において制限されない。
【０１０６】
端末が前もってセットされた領域の温度を決定する方法については、前述の記載が参照されてよく、詳細は、ここでは記載されない。
【０１０７】
ステップ５０４：端末は、第２動作状態で動作するよう第１カメラをセットする。
【０１０８】
第２動作状態は、端末の電力消費を減らすように、低電力消費状態又は閉鎖状態である。
【０１０９】
ステップ５０５：端末は、カメラアプリケーションプログラムから出るべきかどうかを判定し、端末がカメラアプリケーションプログラムから出ると決定する場合には、ステップ５０８へ進み、あるいは、端末がカメラアプリケーションプログラムから出ないと決定する場合には、ステップ５０６へ進む。
【０１１０】
任意に、ステップ５０６：端末は、カメラアプリケーションプログラムが第１実行モードで実行される必要があるかどうかを判定し、カメラアプリケーションプログラムが第１実行モードで実行される必要がある場合に、ステップ５０７へ進み、あるいは、カメラアプリケーションプログラムが第１実行モードで実行される必要がない場合に、ステップ５０５へ進む。
【０１１１】
ユーザが、第１実行モード、例えば、ワイドアパチャーモードで実行されるようカメラアプリケーションプログラムをセットするとき、第１カメラの対応する動作状態は第２動作サブ状態、例えば、ワイドアパチャー状態であり、ステップ５０７へ進む。
【０１１２】
カメラアプリケーションプログラムが依然としてビデオ撮影モードで実行されるとき、ステップ５０５へ進む。
【０１１３】
ステップ５０７：端末は、第２動作サブ状態で動作するよう第１カメラをセットし、ステップ５０２へ進む。
【０１１４】
第１カメラはワイドアパチャー状態にセットされ、ステップ５０２へ進む。カメラアプリケーションプログラムが依然としてワイドアパチャーモードで実行されるとき、ステップ５０２では、第１カメラが第２動作状態で動作することを許されないと決定される。カメラアプリケーションプログラムがワイドアパチャーモードからピクチャモードへ切り替えられる場合には、相応して、第１カメラはピクチャ状態（第３動作サブ状態）へ切り替えられ、従って、ステップ５０２では、第１カメラが第２動作状態で動作することを許されると決定され、ステップ５０３は実行される。カメラアプリケーションプログラムがワイドアパチャーモードからピクチャモードへ切り替えられる場合に、相応して、第１カメラはピクチャ状態へ切り替えられ、ステップ５０２がユーザによってトリガされない場合には、第１カメラは、指定された存続期間に依然としてピクチャ状態で動作してよく、ステップ５０２は、指定された存続期間が過ぎた後にトリガされ、従って、ステップ５０２では、第１カメラが第２動作状態で動作することを許されると決定され、ステップ５０３は実行される。
【０１１５】
ステップ５０８：終了。第１カメラ及び第２カメラは閉鎖され、例えば、第１カメラ及び第２カメラに電力は供給されない。
【０１１６】
本願のこの実施形態で、カメラアプリケーションプログラムが実行され始めるとき、端末の動作パラメータは前もってセットされた条件を満たしていてよく、従って、第１カメラは直接第２状態で動作してよいことが留意されるべきである。
【０１１７】
端末は、第１カメラ及び第２カメラを装備される。カメラアプリケーションプログラムを起動するとき、ユーザは、カメラアプリケーションプログラムの実行モードを選択する。例えば、図５に示されるように、図５は、本願の実施形態に従うカメラアプリケーションプログラムの概略図である。カメラアプリケーションプログラムにおいてユーザによって選択され得るモードは、パノラマモード、遅延撮影モード、ワイドアパチャーモード、ビデオモード、撮影モード、などであってよい。
【０１１８】
ユーザがカメラアプリケーションプログラムを起動すると、カメラアプリケーションプログラムは、デフォルトで撮影モードにおいて動作してよい。この場合に、端末は第１カメラ及び第２カメラを起動する。その上、端末が第１カメラを起動すると、タイマが計時のために起動される。
【０１１９】
端末は内部で複数の領域に分割されてよく、複数の温度センサが各領域に配置されてよい。具体的には、図３が参照されてよい。端末は、各温度センサによって測定された温度をリアルタイムで読み出し、各領域の温度を決定してよい。以下は、第１カメラ及び第２カメラが位置する領域を、記載のために、前もってセットされた領域の例として使用する。
【０１２０】
第２動作状態で動作するよう第１カメラをセットする前に、端末は最初に、第１カメラが第２動作状態で動作することを許されるかどうかを判定する。実際の製品の設計に基づき、ユーザは、カメラアプリケーションプログラムにおいて異なる実行モードを選択してよく、カメラアプリケーションプログラムはまた、呼び出されるべきアルゴリズムをリアルタイムで決定してよい。カメラアプリケーションプログラムの実行モード及び呼び出されるアルゴリズムは、必要とされるカメラの数に対して異なる要件を有している。従って、カメラアプリケーションプログラムにおいて、プライオリティ設計は、実行モード、アルゴリズム、及び電力消費制御解決法に対して行われ、端末は、第１カメラが第２動作状態で動作することを許されるかどうかをリアルタイムで判定する。例えば、カメラアプリケーションプログラムがワイドアパチャーモードで動作するとき、第１カメラは第２動作状態で動作することを許されない。
【０１２１】
前述の記載を参照して、第１カメラが第２動作状態で動作することを許されると端末が決定した後、タイマの計時存続期間が増すにつれて、電気エネルギは、第１カメラ及び第２カメラの使用中に常に消費され、過熱のような現象が端末で起こる可能性があり、端末によって検出される、前もってセットされた領域内の温度も絶えず上昇する。タイマの計時存続期間が第１の前もってセットされた存続期間であると、及び／又は前もってセットされた領域内の温度が第１の前もってセットされた温度よりも高いと端末が決定すると、第１カメラは低電力消費状態又は閉鎖状態にセットされる必要があると決定される。第１の前もってセットされた存続期間は２分であってよく、第１の前もってセットされた温度は５１℃であってよい。確かに、第１の前もってセットされた存続期間及び第１の前もってセットされた温度の値は、具体的な製品に基づきセットされてよい。第１カメラを低電力消費状態又は閉鎖状態にセットした後、端末は、第２カメラのみを実行モード、すなわち、通常の画像収集モードで動作し続けてよい。この場合に、第１カメラ及び第２カメラの総電力消費は減少し、前もってセットされた領域の温度はもはや上昇しないか、あるいは、上昇速度が緩められる。
【０１２２】
第２動作状態で動作するよう第１カメラをセットするとき、端末は、次の計時を待つようタイマをリセットしてよく、代替的に、端末は、端末がカメラアプリケーションプログラムから出るまでタイマをリセットしなくてもよいことが留意されるべきである。これは、本願のこの実施形態において制限されない。
【０１２３】
低電力消費状態又は閉鎖状態への第１カメラのセットをトリガした後、端末は、具体的な機能要件に基づき第１カメラを再起動してよい。動作解決法は２つの設計態様を含み、１つは、第１カメラを再起動するメカニズムであり、再起動メカニズムは、制限なしに、ユーザがカメラアプリケーションプログラムのインターフェイス上でカメラアプリケーションプログラムの実行モードを選択し、第１カメラがカメラアプリケーションプログラムのアルゴリズムを決定するよう呼び出される必要があることを含み、もう１つは、第１カメラを低電力消費状態又は閉鎖状態にセットする動作の再トリガを可能にするために端末によって使用されるメカニズムであり、例えば、上記の再起動メカニズムに対する条件が成立しなかった後３０秒（具体的な製品の時間閾値）内で、「第１カメラが第２動作状態で動作することを許されるかどうか」が「はい」にセットされる。例えば、「第１カメラを低電力消費状態又は閉鎖状態にセットする」動作がトリガされた後、ユーザがカメラアプリケーションプログラムの実行モードをワイドアパチャーモードにセットするとき、端末は第１カメラを再起動してよい。次いで、ユーザがカメラアプリケーションプログラムの実行モードを、ワイドアパチャーモードから出ることにセットした時点で、タイマが起動される。タイマの計時存続期間は第２の前もってセットされた存続期間であり、第２の前もってセットされた存続期間は３０秒であってよい。タイマが満了する前に、端末は、低電力消費状態又は閉鎖状態への第１カメラのセットを許されない。タイマが満了した後、端末は、低電力消費状態又は閉鎖状態への第１カメラのセットを許す。
【０１２４】
ユーザがカメラアプリケーションプログラムのインターフェイスから出るとき、「第１カメラの動作状態が低電力消費状態又は閉鎖状態である」との状態記録は無効になり、そして、上記の解決法は、カメラアプリケーションプログラムが再起動されるとき繰り返される。
【０１２５】
同じ技術概念に基づき、本願の実施形態は端末を更に提供し、端末は、上記の方法実施形態を実行してよい。
【０１２６】
図７に示されるように、図７は、本願の実施形態に従う端末の略構造図である。端末７００は、携帯電話機のようなデバイスであってよい。
【０１２７】
図７を参照すると、端末７００は、
端末の同じ側に位置する第１カメラ及び第２カメラを起動し、第１カメラが第１動作状態で動作するよう構成されるカメラ制御ユニット７０１と、
端末の動作パラメータが前もってセットされた条件を満たすかどうかを判定するよう構成される動作パラメータ判定ユニット７０２と
を含み、ここで、
カメラ制御ユニット７０１は、端末の動作パラメータが前もってセットされた条件を満たすと動作パラメータ判定ユニット７０２が決定するとき、第１カメラを第１動作状態から第２動作状態へ切り替えるよう構成され、ここで、第２動作状態は、低電力消費状態又は閉鎖状態である。
【０１２８】
任意に、端末の動作パラメータが前もってセットされた条件を満たさないと動作パラメータ判定ユニット７０２が決定すると、カメラ制御ユニット７０１は、第１カメラを第１動作状態で動作させ続ける。
【０１２９】
任意に、動作パラメータは、次のもの：
第１カメラが起動された後の動作存続期間、
端末のバッテリ電圧、
第１カメラの撮影パラメータ、及び
端末における前もってセットされた領域の温度
のうちの１つ以上を含み、あるいは、
前もってセットされた条件は、次のもの：
第１カメラが起動された後の動作存続期間が第１の前もってセットされた存続期間よりも長いこと、
端末のバッテリ電圧が前もってセットされた電圧よりも低いこと、
第１カメラの撮影パラメータが第１の前もってセットされた値よりも高いこと若しくは第１カメラの撮影パラメータが第２の前もってセットされた値よりも低いこと、
端末における前もってセットされた領域の温度が第１の前もってセットされた温度よりも高いこと、又は
端末における前もってセットされた領域の温度が、第１の前もってセットされた温度よりも低い第２の前もってセットされた温度よりも低いこと
のうちの１つ以上を含む。
【０１３０】
任意に、第２動作状態は、低電力消費モード又は閉鎖状態である。
【０１３１】
任意に、第１カメラを第１動作状態から第２動作状態へ切り替える前に、カメラ制御ユニット７０１は更に、第１カメラが第２動作状態で動作することを許されると決定するよう構成される。
【０１３２】
任意に、第１カメラを第１動作状態から第２動作状態へ切り替えた後に、カメラ制御ユニット７０１は更に、
第１カメラを第１動作状態で動作させる事象があるかどうかを検出し、
第１カメラを第１動作状態で動作させる事象が検出されるとき、第１カメラを当該動作状態から第１動作状態へ切り替える
よう構成される。
【０１３３】
任意に、第１カメラを第１動作状態で動作させる事象があるかどうかを検出することは、具体的に、
カメラアプリケーションプログラムの実行モードが第２実行モードから第１実行モードへ切り替えられるかどうかを検出することであり、ここで、第１実行モードは、第１カメラが第１動作状態で動作することに対応する実行モードであり、第２実行モードは、第１カメラが第２動作状態で動作することを許される実行モードである。
【０１３４】
任意に、第１カメラを第１動作状態で動作させる事象があるかどうかを検出することは、具体的に、
端末によって、ユーザが画像の記録をトリガするかどうかを検出すること、例えば、ユーザが撮影ボタン又は記録ボタンを押すかどうかを検出することである。
【０１３５】
上記のユニットの分割は、単に、論理的な機能分割であることが理解されるべきである。実際の実施では、全て又は一部のユニットは物理エンティティに一体化されるか、あるいは、物理的に分離されてよい。本願のこの実施形態で、カメラ制御ユニット及び動作パラメータ判定ユニットは、プロセッサによって実装されてよい。図８に示されるように、図８は、本願の実施形態に従う端末の構造を示す。
【０１３６】
端末は、携帯電話機、タブレット・コンピュータ、パーソナル・デジタル・アシスタント（Personal  Digital  Assistant，ＰＤＡ）、店舗販売時点情報管理（Point  of  Sales，ＰＯＳ）、車載コンピュータ、などを含む如何なる端末デバイスであってもよい。携帯電話機が端末の例として使用され、図８は、本願の実施形態に従う端末に関係がある携帯電話機８００の部分構造のブロック図である。図８を参照すると、携帯電話機８００は、無線周波数（Radio  Frequency，ＲＦ）回路８１０、メモリ８２０、入力ユニット８３０、表示ユニット８４０、センサ８５０、オーディオ回路８６０、ワイヤレス・フィデリティ（wireless  fidelity，ＷｉＦｉ）モジュール８７０、プロセッサ８８０、及び電源８９０のような構成要素を含む。当業者は、図８に示される携帯電話機の構造が実施の例としてのみ使用され、携帯電話機に対する如何なる制限も構成せず、そして、図示されているよりも多い又は少ない構成要素を含んでも、又はいくつかの構成を結合しても、又は異なる構成要素配置を有してもよいと理解し得る。
【０１３７】
以下は、携帯電話機８００の全ての構成する構成要素について図８を参照して詳細に記載する。
【０１３８】
ＲＦ回路８１０は、情報送信若しくは受信プロセス又は発呼プロセスにおいて信号を送信及び受信し、特に、基地局のダウンリンク情報を受信した後に、ダウンリンク情報を処理のためにプロセッサ８８０へ送り、その上、設計されたアップリンクデータを基地局へ送るよう構成されてよい。一般に、ＲＦ回路は、制限なしに、アンテナ、少なくとも１つの増幅器、トランシーバ、カプラ、低雑音増幅器（Low  Noise  Amplifier，ＬＮＡ）、デュプレクサ、などを含む。その上、ＲＦ回路８１０は、ネットワーク及び他のデバイスと無線通信を通じて更に通信してよい。無線通信は、制限なしに、グローバル・システム・フォー・モバイル・コミュニケーションズ（Global  System  of  Mobile  Communications，ＧＳＭ）、汎用パケット無線サービス（General  Packet  Radio  Service，ＧＰＲＳ）、コード分割多重アクセス（Code  Division  Multiple  Access，ＣＤＭＡ）、広帯域符号分割多重アクセス（Wideband  Code  Division  Multiple  Access，ＷＣＤＭＡ）、ロング・ターム・エボリューション（Long  Term  Evolution，ＬＴＥ）、電子メール、及びショート・メッセージ・サービス（Short  Messaging  Service，ＳＭＳ）を含む如何なる通信標準又はプロトコルにも基づいてよい。
【０１３９】
メモリ８２０は、ソフトウェアプログラム及びモジュールを記憶するよう構成されてよく、プロセッサ８８０は、携帯電話機８００の様々な機能アプリケーション及びデータ処理を、メモリ８２０に記憶されているソフトウェアプログラム及びモジュールを実行することによって実行する。メモリ８２０は、記憶プログラム領域及び記憶データ領域を主に含んでよい。記憶プログラム領域は、オペレーティング・システム、少なくとも１つの機能（例えば、音声再生機能及び画像再生機能）によって必要とされるアプリケーションプログラム、などを記憶してよく、記憶データ領域は、携帯電話機８００の使用に基づき生成されるデータ（例えば、オーディオデータ及び電話帳）などを記憶してよい。その上、メモリ８２０は、高速ランダム・アクセス・メモリを含んでよく、更には、少なくとも１つの磁気ディスク記憶デバイスのような揮発性メモリ、フラッシュメモリデバイス、又は他の揮発性固体状態記憶デバイスを含んでもよい。
【０１４０】
入力ユニット８３０は、入力された数字又は文字情報を受け取って、携帯電話機８００の機能制御及びユーザ設定に関連したキー信号入力を生成するよう構成されてよい。具体的に、入力ユニット８３０は、タッチパネル８３１及び他の入力デバイス８３２を含んでよい。タッチパネル８３１は、タッチスクリーンとも呼ばれ、タッチパネル８３１上又はその近くでのユーザのタッチ操作（例えば、指又はスタイラスのような何らかの適切な物又はアクセサリを使用することによるタッチパネル８３１上又はタッチパネル８３１の近くでのユーザの動作）を収集することができる。任意に、タッチパネル８３１は、２つの部分、すなわち、タッチ検出装置及びタッチコントローラを含んでよい。タッチ検出装置は、ユーザのタッチ方向を検出し、タッチ操作によってもたらされる信号を検出し、信号をタッチコントローラへ送る。タッチコントローラは、タッチ検出装置からタッチ情報を受け取り、タッチ情報をタッチ点座標に変換し、次いでタッチ点座標をプロセッサ８８０へ送り、そして、プロセッサ８８０によって送られたコマンドを受け実行することができる。その上、タッチパネル８３１は、抵抗型、容量型、赤外線、及び弾性表面波のような、複数のタイプを使用することによって実装されてよい。タッチパネル８３１に加えて、入力ユニット８３０は他の入力デバイス８３２を含んでもよい。具体的に、他の入力デバイス８３２は、制限なしに、物理キーボード、ファンクション・キー（例えば、音量制御キー若しくはオン／オフキー）、トラックボール、マウス、又は操作レバーのうちの１つ以上を含んでよい。
【０１４１】
表示ユニット８４０は、ユーザによって入力される情報又はユーザに提供される情報、及び携帯電話機８００の様々なメニューを表示するよう構成されてよい。表示ユニット８４０は表示パネル８４１を含んでよい。任意に、表示パネル８４１は、液晶ディスプレイ（Liquid  Crystal  Display，ＬＣＤ）又は有機発光ダイオード（Organic  Light-Emitting  Diode，ＯＬＥＤ）のような形で実装されてよい。更に、タッチパネル８３１は表示パネル８４１をカバーしてよい。タッチパネル８３１上又はその近くでタッチ操作を検出すると、タッチパネル８３１は、タッチ事象のタイプを決定すべくタッチ操作をプロセッサ８８０へ転送し、次いで、プロセッサ８８０は、タッチ事象のタイプに基づき表示パネル上で対応する視覚出力を供給する。図８におけるタッチパネル８３１及び表示パネル８４１は、携帯電話機８００の入力及び出力機能を実装するよう２つの独立した構成要素として使用されるが、いくつかの実施形態では、タッチパネル８３１及び表示パネル８４１は、携帯電話機８００の入力及び出力機能を実装するよう一体化されてもよい。
【０１４２】
携帯電話機８００は、少なくとも２台のカメラを更に含んでよい。カメラ８５１及びカメラ８５２は、携帯電話機の同じ側に、例えば、携帯電話機８００の背面に配置されて、画像を収集する。図示されていないが、カメラはまた、携帯電話機８００の前側に配置されてもよい。携帯電話機８００は、センサ８５０、例えば、光学センサ、モーションセンサ、及び他のセンサを更に含んでもよい。
【０１４３】
オーディオ周波数回路８６０、ラウドスピーカ８６１、及びマイクロホン８６２は、ユーザと携帯電話機８００との間のオーディオインターフェイスを提供してよい。オーディオ周波数回路８６０は、オーディオデータ変換後に得られた受信された電気信号をラウドスピーカ８６１へ送り、ラウドスピーカ８６１は、電気信号を出力のために音響信号へ変換する。その上、マイクロホン８６２は、収集された音響信号を電気信号に変換し、オーディオ周波数回路８６０は、電気信号を受信し、電気信号をオーディオデータに変換し、オーディオデータを処理のためにプロセッサ８８０へ出力し、次いで、ＲＦ回路８１０を使用することによって、処理されたオーディオデータを、例えば、他の携帯電話機へ送り、あるいは、処理されたオーディオデータを更なる処理のためにメモリ８２０へ送る。
【０１４４】
ＷｉＦｉは、短距離無線伝送技術である。携帯電話機８００は、ユーザが電子メールを送信及び受信すること、ウェブページをブラウズすること、ストリーミング媒体へのアクセスを得ること、などを助けるためにＷｉＦｉモジュール８７０を使用してよい。ＷｉＦｉモジュール８７０は、無線ブロードバンド・インターネット・アクセスをユーザに提供する。図８はＷｉＦｉモジュール８７０を示すが、ＷｉＦｉモジュール８７０は携帯電話機８００の必須の部分ではなく、本発明の本質を保ちながら必要性に従って省略されてもよいことが理解され得る。
【０１４５】
携帯電話機８００の制御センターとして、プロセッサ８８０は、携帯電話機全体の全ての部分を接続するために様々なインターフェイス及びラインを使用する。メモリ８２０に記憶されているソフトウェアプログラム及び／又はモジュールを起動又は実行し、メモリ８２０に記憶されているデータを呼び出すことによって、プロセッサ８８０は、携帯電話機に対する全体的なモニタリングを実行するために、携帯電話機８００の様々な機能を実行し且つデータを処理する。任意に、プロセッサ８８０は、１つ以上の処理ユニットを含んでよい。任意に、アプリケーションプロセッサ及びモデムプロセッサがプロセッサ８８０に組み込まれてよく、ここで、アプリケーションプロセッサは主として、オペレーティング・システム、ユーザインターフェイス、アプリケーションプログラム、などを処理し、モデムプロセッサは主として、無線通信を処理する。上記のモデムプロセッサは、プロセッサ８８０に組み込まれなくてもよいことが理解され得る。
【０１４６】
携帯電話機８００は、電力を各構成要素へ供給する電源８９０（例えば、バッテリ）を更に含む。任意に、電源は、電力管理システムを使用することによって充電、放電、及び電力消費管理のような管理機能を実装するように、電力管理システムを使用することによってプロセッサ８８０へ論理的に接続されてよい。
【０１４７】
携帯電話機８００は、センサ８５０、例えば、温度センサを更に含んでもよい。温度センサは、温度を検出するよう構成される。
【０１４８】
図示されていないが、携帯電話機８００は、Ｂｌｕｅｔｏｏｔｈモジュール、などを更に含んでもよい。詳細は、ここでは記載されない。
【０１４９】
プロセッサ８８０は、メモリ８２０に記憶されているソフトウェアプログラムを実行することによって、カメラ８５１及びカメラ８５２を制御してよい。温度センサなどは、制御プロセスにおいて呼び出されてよい。詳細については、本願の方法実施形態が参照されてよい。
【０１５０】
携帯電話機はデュアルカメラ（Ａ及びＢ）を装備される。Ａは主要カメラと命名され、Ｂは補助カメラと命名される。ユーザがカメラアプリケーションを起動すると、プレビューがインターフェイス上に表示される。デフォルト状態で、携帯電話機は２台のカメラＡ及びＢを同時に起動してよく、この場合に、携帯電話機の電力消費は値Ｘ１である。その上、ユーザがカメラアプリケーションインターフェイスを開くと、携帯電話機はタイマｔを起動し、タイマｔの値は、ユーザがカメラインターフェイスから出るとリセットされ得る。
【０１５１】
実際の製品の要件に基づき、複数の温度監視点（ＮＴＣ１、ＮＴＣ２、・・・、ＮＴＣｎ）が携帯電話機の異なる位置に配置されてよい。携帯電話機は、リアルタイムで各ＮＴＣの値を読み出すことができ、対応する動作は、ＮＴＣ値がセットされた閾値Ｔｍに達すると実行され得る。
【０１５２】
実際の製品の設計に基づき、ユーザは、カメラアプリケーションにおいて異なる機能モードを選択してよく、アプリケーションはまた、呼び出されるべきアルゴリズムをリアルタイムでインテリジェントに決定してよい。これらの機能及びアルゴリズムは、カメラの数に関して異なる要件を有し、これは、携帯電話機におけるカメラの数に対する制限に影響を及ぼし得る。従って、カメラアプリケーションでは、プライオリティ設計は、機能モード、アルゴリズム、及び電力消費制御解決法に対して行われ、携帯電話機は、「‘補助カメラＢを閉鎖する’解決法が許されるかどうか」をリアルタイムで判定する。
【０１５３】
カメラアプリケーションの使用に伴って、携帯電話機は熱くなり、タイマｔの値及び各ＮＴＣの値は変化する。「‘補助カメラＢを閉鎖する’解決法が許されるかどうか」が「はい」であるとアプリケーションが決定した後、「タイマｔの値が２分（具体的な製品の時間閾値）に達する」及び／又は「指定されたＮＴＣｉの温度値が５１℃（具体的な製品の設定された閾値）に達する」とき、携帯電話機は、‘補助カメラＢを閉鎖する’動作を実行してよい。この場合に、携帯電話機は、主要カメラＡのみを作動し続け、携帯電話機のデータに基づきプレビューといったその後の処理を実行してよく、そして、電力消費値はＸ２になる。
【０１５４】
‘補助カメラＢを閉鎖する’動作をトリガした後、携帯電話機は、具体的な機能要件に基づき補助カメラＢを再起動してよい。動作解決法は２つの設計態様を含み、１つは、補助カメラＢを再起動するメカニズムであり、再起動メカニズムは、制限なしに、ユーザが携帯電話機のインターフェイス上で機能選択操作を実行し、補助カメラがカメラアプリケーションのアルゴリズムを決定するよう呼び出される必要があることを含み、もう１つは、補助カメラＢが再起動されるときに‘補助カメラＢを閉鎖する’動作を再トリガすることを可能にするために携帯電話機によって使用されるメカニズムである。例えば、上記の再起動メカニズムに対する条件が成立しなかった後３０秒（具体的な製品の時間閾値）内で、「‘補助カメラＢの閉鎖’が許されるかどうか」が「はい」にセットされる。
【０１５５】
ユーザがカメラアプリケーションインターフェイスから出るとき、「補助カメラＢを閉鎖し、主要カメラＡのみを起動する」という上記の動作に関する状態記録は無効になり、そして、上記の解決法は、カメラアプリケーションが再起動されるとき繰り返される。
【０１５６】
携帯電話機はデュアルカメラ（Ａ及びＢ）を装備される。Ａは主要カメラと命名され、Ｂは補助カメラと命名される。ユーザがカメラアプリケーションを起動すると、プレビューがインターフェイス上に表示される。デフォルト状態で、携帯電話機は２台のカメラＡ及びＢを同時に起動してよく、この場合に、携帯電話機の電力消費は値Ｘ１である。
【０１５７】
実際の製品の要件に基づき、複数の温度監視点（ＮＴＣ１、ＮＴＣ２、・・・、ＮＴＣｎ）が携帯電話機の異なる位置に配置されてよい。携帯電話機は、リアルタイムで各ＮＴＣの値を読み出すことができ、その上、携帯電話機は、現在のバッテリに関連した状態パラメータ（例えば、バッテリ電圧Ｖ）をリアルタイムでモニタする。ＮＴＣの値、バッテリパラメータＶ、などがセットされた閾値に達すると、携帯電話機は、対応する動作を実行してよい。
【０１５８】
実際の製品の設計に基づき、ユーザは、カメラアプリケーションにおいて異なる機能モードを選択してよく、アプリケーションはまた、呼び出されるべきアルゴリズムをリアルタイムでインテリジェントに決定してよい。これらの機能及びアルゴリズムは、カメラの数に関して異なる要件を有し、これは、携帯電話機におけるカメラの数に対する制限に影響を及ぼし得る。従って、カメラアプリケーションでは、プライオリティ設計は、機能モード、アルゴリズム、及び電力消費制御解決法に対して行われ、携帯電話機は、「‘補助カメラＢを閉鎖する’解決法が許されるかどうか」をリアルタイムで判定する。
【０１５９】
ユーザがカメラアプリケーションに入った後、携帯電話機は、各ＮＴＣ値及びバッテリパラメータＶの値をリアルタイムでモニタする。「‘補助カメラＢの閉鎖’が許されるかどうか」が「はい」であるとアプリケーションが決定した後、「ＮＴＣ温度がＹ１（具体的な製品の時間閾値）よりも低い」及び「バッテリ電圧ＶがＹ２（具体的な製品とセットされた閾値）よりも低い」場合に、携帯電話機は、‘補助カメラＢを閉鎖する’動作を実行してよい。この場合に、携帯電話機は、主要カメラＡのみを起動し、携帯電話機のデータに基づきプレビューといったその後の処理を実行してよく、そして、電力消費値はＸ２になる。
【０１６０】
‘補助カメラＢを閉鎖する’動作をトリガした後、携帯電話機は、具体的な機能要件に基づき補助カメラＢを再起動してよい。動作解決法は２つの設計態様を含み、１つは、補助カメラＢを再起動するメカニズムであり、再起動メカニズムは、制限なしに、ユーザが携帯電話機のインターフェイス上で機能選択操作を実行し、補助カメラがカメラアプリケーションのアルゴリズムを決定するよう呼び出される必要があることを含み、もう１つは、補助カメラＢが再起動されるときに‘補助カメラＢを閉鎖する’動作を再トリガすることを可能にするために携帯電話機によって使用されるメカニズムである。例えば、上記の再起動メカニズムに対する条件が成立しなかった後３０秒（具体的な製品の時間閾値）内で、「‘補助カメラＢの閉鎖’が許されるかどうか」が「はい」にセットされる。
【０１６１】
ユーザがカメラアプリケーションインターフェイスから出るとき、「補助カメラＢを閉鎖し、主要カメラＡのみを起動する」という上記の動作に関する状態記録は無効になり、そして、上記の解決法は、カメラアプリケーションが再起動されるとき繰り返される。図９を参照すると、図９は、本願の実施形態に従うカメラ制御方法の略フローチャートである。
【０１６２】
本願のこの実施形態における物理的な部分及び構成要素は、温度センサ（ＮＴＣ）、携帯電話機プロセッサ、カメラ、デュアルカメラ、バッテリ、などを含む。
【０１６３】
図９を参照すると、図９は、本願の実施形態に従うカメラ制御方法の略フローチャートである。
【０１６４】
携帯電話機はデュアルカメラ（Ａ及びＢ）を装備される。Ａは主要カメラと命名され、Ｂは補助カメラと命名される。ユーザがカメラアプリケーションを起動すると、プレビューがインターフェイス上に表示される。デフォルト状態で、携帯電話機は２台のカメラＡ及びＢを同時に起動してよく、この場合に、携帯電話機の電力消費は値Ｘ１である。その上、ユーザがカメラアプリケーションインターフェイスを開くと、携帯電話機はタイマｔを起動し、タイマｔの値は、ユーザがカメラインターフェイスから出るとリセットされ得る。
【０１６５】
実際の製品の要件に基づき、複数の温度監視点（ＮＴＣ１、ＮＴＣ２、・・・、ＮＴＣｎ）が携帯電話機の異なる位置に配置されてよい。図示されるように、携帯電話機は、リアルタイムで各ＮＴＣの値を読み出し、温度パラメータＮＴＣｉ（例えば、ＮＴＣｉは、選択されたＮＴＣ値、又はｎ個のＮＴＣ値の平均である。）を出力し、ＮＴＣｉ値がセットされた閾値Ｔｍに達すると対応する動作を実行してよい。
【０１６６】
実際の製品の設計に基づき、ユーザは、カメラアプリケーションにおいて異なる機能モードを選択してよく、アプリケーションはまた、呼び出されるべきアルゴリズムをリアルタイムでインテリジェントに決定してよい。これらの機能及びアルゴリズムは、カメラの数に関して異なる要件を有し、これは、携帯電話機におけるカメラの数に対する制限に影響を及ぼし得る。従って、カメラアプリケーションでは、プライオリティ設計は、機能モード、アルゴリズム、及び電力消費制御解決法に対して行われ、携帯電話機は、「‘補助カメラＢを閉鎖する’解決法が許されるかどうか」をリアルタイムで判定する。例えば、ユーザが“ワイドアパチャー”モードを選択するか、又は“撮影”ボタンをタップする場合に、‘補助カメラＢを閉鎖する’解決法は携帯電話機によって許されない。
【０１６７】
カメラアプリケーションの使用に伴って、携帯電話機は熱くなり、タイマｔの値及び温度パラメータＮＴＣｉの値は変化する。「‘補助カメラＢの閉鎖’が許されるかどうか」が「はい」であるとアプリケーションが決定した後、「タイマｔの値がｔｍ＝２分（具体的な製品の時間閾値）に達する」及び「温度パラメータＮＴＣｉの温度値がＴｍ＝５１℃（具体的な製品の設定された閾値）に達する」とき、携帯電話機は、‘補助カメラＢを閉鎖する’動作を実行してよい。この場合に、携帯電話機は、主要カメラＡのみを作動し続け、携帯電話機のデータに基づきプレビューといったその後の処理を実行してよく、そして、電力消費値はＸ２になる。
【０１６８】
‘補助カメラＢを閉鎖する’動作をトリガした後、携帯電話機は、具体的な機能要件に基づき補助カメラＢを再起動してよい。動作解決法は２つの設計態様を含み、１つは、補助カメラＢを再起動するメカニズムであり、再起動メカニズムは、制限なしに、ユーザが携帯電話機のインターフェイス上で機能選択操作を実行し、補助カメラがカメラアプリケーションのアルゴリズムを決定するよう呼び出される必要があることを含み、もう１つは、補助カメラＢが再起動されるときに‘補助カメラＢを閉鎖する’動作を再トリガすることを可能にするために携帯電話機によって使用されるメカニズムである。例えば、上記の再起動メカニズムに対する条件が成立しなかった後３０秒（具体的な製品の時間閾値）内で、「‘補助カメラＢの閉鎖’が許されるかどうか」が「はい」にセットされる。例えば、‘補助カメラＢを閉鎖する’動作がトリガされた後、携帯電話機は、ユーザが“ワイドアパチャー”モードを選択する場合に補助カメラＢを再起動してよく、そして、携帯電話機は、ユーザが“ワイドアパチャー”モードから出た後３０秒内で、‘補助カメラＢを閉鎖する’動作の再トリガを可能にし得る。他の例として、‘補助カメラＢを閉鎖する’動作がトリガされた後、携帯電話機は、ユーザが“撮影”ボタンをタップする場合に補助カメラＢを再起動してよく、そして、携帯電話機は、撮影プロシージャが終了した後３０秒内で、‘補助カメラＢを閉鎖する’動作の再トリガを可能にし得る。
【０１６９】
ユーザがカメラアプリケーションインターフェイスから出るとき、「補助カメラＢを閉鎖し、主要カメラＡのみを起動する」という上記の動作に関する状態記録は無効になり、そして、上記の解決法は、カメラアプリケーションが再起動されるとき繰り返される。
【０１７０】
高電力消費カメラシナリオで長時間使用された後の携帯電話機の過熱問題は回避され得る。セットされた閾値条件の下で、デュアルカメラ実行は、シングルカメラ実行へ変更される。これは、カメラシナリオのリアルタイムの電力消費を大いに減らし、シナリオにおける携帯電話機の過熱リスクを低減し得る。
【０１７１】
その上、解決法の時間閾値判定条件は、カメラアプリケーションが指定された時間ｔｍ＝（例えば）２分においてデュアルカメラ状態で実行されることを確かにし、それによって、製品カメラの高性能を実装し、基本的なユーザ経験を保証し得る。
【０１７２】
マルチカメラのカメラ適用シナリオでは、閾値判定に基づき、デュアルカメラ実行からシングルカメラ実行へ変更する解決法は、先行技術と比較してシステム全体の電力消費及び過熱リスクを大いに減らし得る。デュアルカメラ実行がシングルカメラ実行へ切り替えられた後、画像処理及び表示コンテンツプレビューのリフレッシュ周波数は変化せず、動的ピクチャのユーザ経験は影響を及ぼされ得ない。本願のこの実施形態には１つの時間閾値判定条件が存在し、閾値は製品要件に基づきセットされ得る。時間周期において、製品は、関連する性能を達成するよう複数台のカメラを起動することが確かにされ得る。
【０１７３】
図１０を参照すると、図１０は、本願の実施形態に従うカメラ制御方法の略フローチャートである。
【０１７４】
携帯電話機はデュアルカメラ（Ａ及びＢ）を装備される。Ａは主要カメラと命名され、Ｂは補助カメラと命名される。ユーザがカメラアプリケーションを起動すると、プレビューがインターフェイス上に表示される。デフォルト状態で、携帯電話機は２台のカメラＡ及びＢを同時に起動してよく、この場合に、携帯電話機の電力消費は値Ｘ１である。
【０１７５】
実際の製品の要件に基づき、複数の温度監視点（ＮＴＣ１、ＮＴＣ２、・・・、ＮＴＣｎ）が携帯電話機の異なる位置に配置されてよい。図示されるように、携帯電話機は、リアルタイムで各ＮＴＣの値を読み出し、温度パラメータＮＴＣｉ（例えば、ＮＴＣｉは、選択されたＮＴＣ値、又はｎ個のＮＴＣ値の平均である。）を出力してよい。その上、携帯電話機は、現在のバッテリの関連した状態パラメータ（例えば、バッテリ電圧Ｖ）をリアルタイムでモニタする。温度パラメータＮＴＣｉの値、バッテリパラメータＶ、などがセットされた閾値に達すると、携帯電話機は、対応する動作を実行してよい。
【０１７６】
実際の製品の設計に基づき、ユーザは、カメラアプリケーションにおいて異なる機能モードを選択してよく、アプリケーションはまた、呼び出されるべきアルゴリズムをリアルタイムでインテリジェントに決定してよい。これらの機能及びアルゴリズムは、カメラの数に関して異なる要件を有し、これは、携帯電話機におけるカメラの数に対する制限に影響を及ぼし得る。従って、カメラアプリケーションでは、プライオリティ設計は、機能モード、アルゴリズム、及び電力消費制御解決法に対して行われ、携帯電話機は、「‘補助カメラＢを閉鎖する’解決法が許されるかどうか」をリアルタイムで判定する。例えば、ユーザが“ワイドアパチャー”モードを選択するか、又は“撮影”ボタンをタップする場合に、‘補助カメラＢを閉鎖する’解決法は携帯電話機によって許されない。
【０１７７】
ユーザがカメラアプリケーションに入った後、携帯電話機は、各ＮＴＣ値及びバッテリパラメータＶの値をリアルタイムでモニタする。「‘補助カメラＢの閉鎖’が許されるかどうか」が「はい」であるとアプリケーションが決定した後、「温度パラメータＮＴＣｉの温度がＹ１（具体的な製品の時間閾値）よりも低い」及び「バッテリ電圧ＶがＹ２（具体的な製品とセットされた閾値）よりも低い」場合に、携帯電話機は、‘補助カメラＢを閉鎖する’動作を実行してよい。この場合に、携帯電話機は、主要カメラＡのみを起動し、携帯電話機のデータに基づきプレビューといったその後の処理を実行してよく、そして、電力消費値はＸ２になる。
【０１７８】
‘補助カメラＢを閉鎖する’動作をトリガした後、携帯電話機は、具体的な機能要件に基づき補助カメラＢを再起動してよい。動作解決法は２つの設計態様を含み、１つは、補助カメラＢを再起動するメカニズムであり、再起動メカニズムは、制限なしに、ユーザが携帯電話機のインターフェイス上で機能選択操作を実行し、補助カメラがカメラアプリケーションのアルゴリズムを決定するよう呼び出される必要があることを含み、もう１つは、補助カメラＢが再起動されるときに‘補助カメラＢを閉鎖する’動作を再トリガすることを可能にするために携帯電話機によって使用されるメカニズムである。例えば、上記の再起動メカニズムに対する条件が成立しなかった後３０秒（具体的な製品の時間閾値）内で、「‘補助カメラＢの閉鎖’が許されるかどうか」が「はい」にセットされる。例えば、‘補助カメラＢを閉鎖する’動作がトリガされた後、携帯電話機は、ユーザが“ワイドアパチャー”モードを選択する場合に補助カメラＢを再起動してよく、そして、携帯電話機は、ユーザが“ワイドアパチャー”モードから出た後３０秒内で、‘補助カメラＢを閉鎖する’動作の再トリガを可能にし得る。他の例として、‘補助カメラＢを閉鎖する’動作がトリガされた後、携帯電話機は、ユーザが“撮影”ボタンをタップする場合に補助カメラＢを再起動してよく、そして、携帯電話機は、撮影プロシージャが終了した後３０秒内で、‘補助カメラＢを閉鎖する’動作の再トリガを可能にし得る。
【０１７９】
ユーザがカメラアプリケーションインターフェイスから出るとき、「補助カメラＢを閉鎖し、主要カメラＡのみを起動する」という上記の動作に関する状態記録は無効になり、そして、上記の解決法は、カメラアプリケーションが再起動されるとき繰り返される。
【０１８０】
低温及び低バッテリレベルのシナリオで、携帯電話機は、カメラアプリケーションが使用されるときに１台のカメラのみを起動する。これは、複数台のカメラがカメラアプリケーションにおいて同時に起動されるときの高負荷及び高電流を回避し、それによって、そのシナリオにおいて高負荷による携帯電話機のシャットダウンの可能性を大いに小さくし得る。
【０１８１】
低温及び低バッテリレベルのシナリオにおけるマルチカメラシナリオの高電力消費解決法のギャップは満たされる。これは、カメラシナリオにおける条件下で負荷及び電流を大いに低減し、それによって、カメラシナリオにおける条件下で高負荷及び高電流によるシャットダウンの可能性を小さくし得る。
【０１８２】
高電力消費カメラシナリオで長時間使用された後の携帯電話機の過熱問題は回避され得る。セットされた閾値条件下で、デュアルカメラ実行はシングルカメラ実行へ変更される。これは、カメラシナリオのリアルタイムの電力消費を大いに減らし、シナリオにおける携帯電話機の過熱リスクを低減し得る。
【０１８３】
その上、解決法の時間閾値判定条件は、カメラアプリケーションが指定された時間ｔｍ＝（例えば）２分においてデュアルカメラ状態で実行されることを確かにし、それによって、製品カメラの高性能を実装し、基本的なユーザ経験を保証し得る。
【０１８４】
その上、この解決法は、低温及び低バッテリレベルのシナリオにおけるマルチカメラシナリオの高電力消費解決法のギャップを満たす。これは、カメラシナリオにおける条件下で負荷及び電流を大いに低減し、それによって、カメラシナリオにおける条件下で高負荷及び高電流によるシャットダウンの可能性を小さくし得る。
【０１８５】
携帯電話機におけるカメラアプリケーションの機能設計要件について、この解決法は、電力消費制御解決法並びにアプリケーションモード及びアルゴリズムのプライオリティ決定をサポートし、電力消費制御解決法が許されるかどうか、及び補助カメラＢが再起動される必要があるかどうかは、柔軟にセットされ得る。
【０１８６】
電子製品（携帯電話既製品に限られない。）が撮影シーンをプレビューするとき、温度、時間、及びバッテリパラメータは、デュアルカメラ実行からシングルカメラ実行へ切り替える動作（又はｍ＞ｎとして、ｍカメラ実行からｎカメラ実行へ切り替える動作）を決定するための基準として使用される。
【０１８７】
本願の方法実施形態の関連する部分が相互に参照されてよい。夫々の装置実施形態で提供される装置は、対応する方法実施形態で提供される方法を実行するよう構成される。従って、夫々の装置実施形態を理解するために、関連する方法実施形態における関連する部分が参照されてよい。
【０１８８】
当業者は、いずれかの上記の実施形態で特定された方法のステップのうちの全て又は全てが、関連するハードウェアに指示するプログラムによって実装されてよい。プログラムは、フラッシュメモリ又はＥＥＰＲＯＭのようなデバイスの可読記憶媒体に記憶されてよい。プログラム実行される場合に、プログラムは、上記のステップの全て又は一部を実行する。
【０１８９】
上記の具体的な実施において、本願の実施形態の目的、技術的解決法、及び利点は、更に詳細に記載される。異なる実施形態は組み合わされてよく、前述の記載は、本願の実施形態の具体的な実施にすぎず、本願の実施形態の保護範囲を制限する意図はないことが理解されるべきである。本願の実施形態の精神及び原理から外れることなしに行われる如何なる結合、変更、等価置換、又は改善も、本願の実施形態の保護範囲内あるべきである。
【図１】
2020516094.tif 000003
【図２】
2020516094.tif 000004
【図３】
2020516094.tif 000005
【図４】
2020516094.tif 000006
【図５】
2020516094.tif 000007
【図６】
2020516094.tif 000008
【図７】
2020516094.tif 000009
【図８】
2020516094.tif 000010
【図９】
2020516094.tif 000011
【図１０】
2020516094.tif 000012
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
端末によって該端末の同じ側に位置する第１カメラ及び第２カメラを起動し、前記第１カメラが第１動作状態で動作することと、
前記端末の動作パラメータが前もってセットされた条件を満たすとき、前記第１カメラを前記第１動作状態から、低電力消費状態又は閉鎖状態である第２動作状態へ切り替えることと
を有するカメラ制御方法。
【請求項２】
前記端末の前記動作パラメータが前記前もってセットされた条件を満たすことは、前記第１カメラが起動された後の動作存続期間が第１の前もってセットされた存続期間よりも長いことを有する、
請求項１に記載の方法。
【請求項３】
前記端末の前記動作パラメータが前記前もってセットされた条件を満たすことは、前記端末における前もってセットされた領域の温度が第１の前もってセットされた温度よりも高いことを有する、
請求項１に記載の方法。
【請求項４】
前記端末の前記動作パラメータが前記前もってセットされた条件を満たすことは、前記端末における前もってセットされた領域の温度が第２の前もってセットされた温度よりも低く、且つ、前記端末のバッテリ電圧が前もってセットされた電圧よりも低いことを有する、
請求項１に記載の方法。
【請求項５】
前記第１カメラを前記第１動作状態から第２動作状態へ切り替えることより前に、当該方法は、
前記端末によって、前記第１カメラが前記第２動作状態で動作することを許されると決定すること
を更に有する、
請求項１乃至４のうちいずれか一項に記載の方法。
【請求項６】
前記端末が前記第１カメラの現在の動作状態を前記第１動作状態から前記第２動作状態へ変更した後に、当該方法は、
前記端末によって、前記第１カメラを前記第１動作状態で動作させる事象があるかどうかを検出することと、
前記第１カメラを前記第１動作状態で動作させる前記事象が検出されるとき、前記第１カメラを前記現在の動作状態から前記第１動作状態へ切り替えることと
を更に有する、
請求項１乃至５のうちいずれか一項に記載の方法。
【請求項７】
前記端末によって、前記第１カメラを前記第１動作状態で動作させる事象があるかどうかを検出することは、
前記端末によって、カメラアプリケーションプログラムの実行モードが第２実行モードから第１実行モードへ切り替えられるかどうかを検出することを有し、
前記第１実行モードは、前記第１カメラが前記第２動作状態で動作することを許されない実行モードであり、前記第２実行モードは、前記第１カメラが前記第２動作状態で動作することを許される実行モードである、
請求項６に記載の方法。
【請求項８】
前記端末によって、前記第１カメラを前記第１動作状態で動作させる事象があるかどうかを検出することは、
前記端末によって、ユーザが画像の記録をトリガするかどうかを検出することを有する、
請求項７に記載の方法。
【請求項９】
端末であって、
当該端末の動作パラメータが前もってセットされた条件を満たすかどうかを判定するよう構成される動作パラメータ判定ユニットと、
当該端末の同じ側に位置する第１カメラ及び第２カメラを起動し、前記第１カメラは第１動作状態で動作し、当該端末の前記動作パラメータが前記前もってセットされた条件を満たすと前記動作パラメータ判定ユニットが決定するとき、前記第１カメラを前記第１動作状態から、低電力消費状態又は閉鎖状態である第２動作状態へ切り替えるよう構成されるカメラ制御ユニットと
を有する端末。
【請求項１０】
前記動作パラメータは、次のもの：
前記第１カメラが起動された後の動作存続期間、
前記端末のバッテリ電圧、
前記第１カメラの撮影パラメータ、又は
前記端末における前もってセットされた領域の温度
のうちの１つ以上を有し、
前記前もってセットされた条件は、次のもの：
前記第１カメラが起動された後の前記動作存続期間が第１の前もってセットされた存続期間よりも長いこと、
前記端末の前記バッテリ電圧が前もってセットされた電圧よりも低いこと、
前記第１カメラの前記撮影パラメータが第１の前もってセットされた値よりも高いこと若しくは前記第１カメラの前記撮影パラメータが第２の前もってセットされた値よりも低いこと、
前記端末における前記前もってセットされた領域の前記温度が第１の前もってセットされた温度よりも高いこと、又は
前記端末における前記前もってセットされた領域の前記温度が、前記第１の前もってセットされた温度よりも低い第２の前もってセットされた温度よりも低いこと
のうちの１つ以上を有する、
請求項９に記載の端末。
【請求項１１】
前記第１カメラを前記第１動作状態から前記第２動作状態へ切り替える前に、前記カメラ制御ユニットは更に、前記第１カメラが前記第２動作状態で動作することを許されると決定し、前記第１カメラが前記第２動作状態で動作することを許される場合に、前記第１カメラを前記第１動作状態から前記第２動作状態へ切り替えるよう構成される、
請求項９乃至１０のうちいずれか一項に記載の端末。
【請求項１２】
前記第１カメラを前記第１動作状態から前記第２動作状態へ切り替えた後に、前記カメラ制御ユニットは更に、
前記第１カメラを前記第１動作状態で動作させる事象があるかどうかを検出し、
前記第１カメラを前記第１動作状態で動作させる前記事象が検出されるとき、前記第１カメラを現在の動作状態から前記第１動作状態へ切り替える
よう構成される、
請求項９乃至１１のうちいずれか一項に記載の端末。
【請求項１３】
前記第１カメラを前記第１動作状態で動作させる事象があるかどうかを検出することは、
カメラアプリケーションプログラムの実行モードが第２実行モードから第１実行モードへ切り替えられるかどうかを検出することであり、
前記第１実行モードは、前記第１カメラが前記第２動作状態で動作することを許されない実行モードであり、前記第２実行モードは、前記第１カメラが前記第２動作状態で動作することを許される実行モードである、
請求項１２に記載の端末。
【請求項１４】
前記第１カメラを前記第１動作状態で動作させる事象があるかどうかを検出することは、当該端末によって、ユーザが画像の記録をトリガするかどうかを検出することである、
請求項１２に記載の端末。
【請求項１５】
端末であって、
当該端末の同じ側に位置する第１カメラ及び第２カメラと、
プログラム命令を記憶するよう構成されるメモリと、
前記プログラム命令を実行して、請求項１乃至８のうちいずれか一項に記載の方法を当該端末に実行させるよう構成されるプロセッサと
を有する端末。
【請求項１６】
端末であって、
当該端末の同じ側に位置する第１カメラ及び第２カメラと、
プログラム命令を記憶するよう構成されるメモリと、
前記プログラム命令を実行して、当該端末に、
前記第２カメラを起動し、前記第１カメラが第１動作状態で動作するステップと、
前記第２カメラによって捕捉されたプレビューを表示するステップと、
ユーザが撮影ボタンを押すことを検出するとき、前記第１カメラを前記第１動作状態から第２動作状態へ切り替えるステップであり、前記第１動作状態の電力消費は前記第２動作状態の電力消費よりも低いか、又は前記第１動作状態は閉鎖状態である、前記切り替えるステップと、
前記第１カメラ及び前記第２カメラによって捕捉されたピクチャを表示するステップと
を実行させるよう構成されるプロセッサと
を有する端末。
【請求項１７】
請求項１乃至８のうちいずれか一項に記載の方法を端末に実行させるプログラム。
【手続補正２】
【補正対象書類名】明細書
【補正対象項目名】００４９
【補正方法】変更
【補正の内容】
【００４９】
本願のこの実施形態で、第２動作状態は、低電力消費状態又は閉鎖状態のような動作状態であってよい。低電力消費状態で動作するとき、第１カメラはスリープ状態にあり、電力消費が極めて低くなり得る。例えば、カメラアプリケーションプログラムがピクチャモードにあるとき、第１カメラは第１動作状態にあり、動作電流は１００ｍＡであり、第１カメラが低電力消費状態で動作するときに生成される動作電流は４ｍＡであり得る。第１カメラが閉鎖状態で動作するとき、電力消費は０であるか、又は無限に０に近くなり得る。第１カメラは、第２動作状態では画像を収集することができない。
【手続補正３】
【補正対象書類名】明細書
【補正対象項目名】００５０
【補正方法】変更
【補正の内容】
【００５０】
本願のこの実施形態で、カメラはレンズ、モータシステム、撮像チップ、などを含んでよい。モータシステム及び撮像チップは、カメラの電力消費の主たる原因である。第１カメラについて、第１カメラが低電力消費状態で動作することは、第１カメラのレンズ、第１カメラのモータシステム、又は第１カメラの撮像チップのうちの１つ以上がスリープ状態のような低電力消費状態にあることであってよく、相応して、第１カメラが閉鎖状態で動作することは、第１カメラのレンズ、第１カメラのモータシステム、又は第１カメラの撮像チップのうちの１つ以上が閉鎖状態にあることであってよい。
【手続補正４】
【補正対象書類名】明細書
【補正対象項目名】００７５
【補正方法】変更
【補正の内容】
【００７５】
ステップ４０２からステップ４０３の間の実行順序は、本願のこの実施形態において制限されない。ステップ４０２は、代替的に、ステップ４０３の後に実行されてよく、すなわち、端末の動作パラメータが前もってセットされた条件を満たすかどうかが最初に判定され、端末の動作パラメータが前もってセットされた条件を満たす場合に、第１カメラが第２動作状態で動作することを許されるかどうかが判定され、第１カメラが第２動作状態で動作することを許されると決定される場合に、ステップ４０４へ進む。
【手続補正５】
【補正対象書類名】明細書
【補正対象項目名】０１０４
【補正方法】変更
【補正の内容】
【０１０４】
ステップ５０２からステップ５０３の間の実行順序は、本願のこの実施形態において制限されない。ステップ５０２は、代替的に、ステップ５０３の後に実行されてよく、すなわち、第１カメラが起動された後の動作存続期間が第１の前もってセットされた存続期間よりも長いかどうかと、端末における前もってセットされた領域の温度が第１の前もってセットされた温度よりも高いかどうかとが最初に判定される。上記の条件の両方が満足される場合に、第１カメラが第２動作状態で動作することを許されるかどうかが判定され、第１カメラが第２動作状態で動作することを許されると決定される場合に、ステップ５０４へ進む。
【手続補正６】
【補正対象書類名】明細書
【補正対象項目名】０１１７
【補正方法】変更
【補正の内容】
【０１１７】
端末は、第１カメラ及び第２カメラを装備される。カメラアプリケーションプログラムを起動するとき、ユーザは、カメラアプリケーションプログラムの実行モードを選択する。例えば、図６に示されるように、図６は、本願の実施形態に従うカメラアプリケーションプログラムの概略図である。カメラアプリケーションプログラムにおいてユーザによって選択され得るモードは、パノラマモード、遅延撮影モード、ワイドアパチャーモード、ビデオモード、撮影モード、などであってよい。
【手続補正７】
【補正対象書類名】明細書
【補正対象項目名】０１２９
【補正方法】変更
【補正の内容】
【０１２９】
任意に、動作パラメータは、次のもの：
第１カメラが起動された後の動作存続期間、
端末のバッテリ電圧、
第１カメラの撮影パラメータ、又は
端末における前もってセットされた領域の温度
のうちの１つ以上を含み、且つ、
前もってセットされた条件は、次のもの：
第１カメラが起動された後の動作存続期間が第１の前もってセットされた存続期間よりも長いこと、
端末のバッテリ電圧が前もってセットされた電圧よりも低いこと、
第１カメラの撮影パラメータが第１の前もってセットされた値よりも高いこと若しくは第１カメラの撮影パラメータが第２の前もってセットされた値よりも低いこと、
端末における前もってセットされた領域の温度が第１の前もってセットされた温度よりも高いこと、又は
端末における前もってセットされた領域の温度が、第１の前もってセットされた温度よりも低い第２の前もってセットされた温度よりも低いこと
のうちの１つ以上を含む。
【手続補正８】
【補正対象書類名】明細書
【補正対象項目名】０１３０
【補正方法】変更
【補正の内容】
【０１３０】
任意に、第２動作状態は、低電力消費状態又は閉鎖状態である。
【手続補正９】
【補正対象書類名】明細書
【補正対象項目名】０１３２
【補正方法】変更
【補正の内容】
【０１３２】
任意に、第１カメラを第１動作状態から第２動作状態へ切り替えた後に、カメラ制御ユニット７０１は更に、
第１カメラを第１動作状態で動作させる事象があるかどうかを検出し、
第１カメラを第１動作状態で動作させる事象が検出されるとき、第１カメラを現在の動作状態から第１動作状態へ切り替える
よう構成される。
【手続補正１０】
【補正対象書類名】明細書
【補正対象項目名】０１３８
【補正方法】変更
【補正の内容】
【０１３８】
ＲＦ回路８１０は、情報送信若しくは受信プロセス又は発呼プロセスにおいて信号を送信及び受信し、特に、基地局のダウンリンク情報を受信した後に、ダウンリンク情報を処理のためにプロセッサ８８０へ送り、その上、設計されたアップリンクデータを基地局へ送るよう構成されてよい。一般に、ＲＦ回路は、制限なしに、アンテナ、少なくとも１つの増幅器、トランシーバ、カプラ、低雑音増幅器（Low  Noise  Amplifier，ＬＮＡ）、デュプレクサ、などを含む。その上、ＲＦ回路８１０は、ネットワーク及び他のデバイスと無線通信を通じて更に通信してよい。無線通信は、制限なしに、グローバル・システム・フォー・モバイル・コミュニケーションズ（Global  System  for  Mobile  Communications，ＧＳＭ）、汎用パケット無線サービス（General  Packet  Radio  Service，ＧＰＲＳ）、コード分割多重アクセス（Code  Division  Multiple  Access，ＣＤＭＡ）、広帯域符号分割多重アクセス（Wideband  Code  Division  Multiple  Access，ＷＣＤＭＡ）、ロング・ターム・エボリューション（Long  Term  Evolution，ＬＴＥ）、電子メール、及びショート・メッセージ・サービス（Short  Messaging  Service，ＳＭＳ）を含む如何なる通信標準又はプロトコルにも基づいてよい。
【手続補正１１】
【補正対象書類名】明細書
【補正対象項目名】０１５９
【補正方法】変更
【補正の内容】
【０１５９】
ユーザがカメラアプリケーションに入った後、携帯電話機は、各ＮＴＣ値及びバッテリパラメータＶの値をリアルタイムでモニタする。「‘補助カメラＢの閉鎖’が許されるかどうか」が「はい」であるとアプリケーションが決定した後、「ＮＴＣ温度がＹ１（具体的な製品の温度閾値）よりも低い」及び「バッテリ電圧ＶがＹ２（具体的な製品とセットされた閾値）よりも低い」場合に、携帯電話機は、‘補助カメラＢを閉鎖する’動作を実行してよい。この場合に、携帯電話機は、主要カメラＡのみを起動し、携帯電話機のデータに基づきプレビューといったその後の処理を実行してよく、そして、電力消費値はＸ２になる。
【手続補正１２】
【補正対象書類名】明細書
【補正対象項目名】０１６１
【補正方法】変更
【補正の内容】
【０１６１】
ユーザがカメラアプリケーションインターフェイスから出るとき、「補助カメラＢを閉鎖し、主要カメラＡのみを起動する」という上記の動作に関する状態記録は無効になり、そして、上記の解決法は、カメラアプリケーションが再起動されるとき繰り返される。
【手続補正１３】
【補正対象書類名】明細書
【補正対象項目名】０１７７
【補正方法】変更
【補正の内容】
【０１７７】
ユーザがカメラアプリケーションに入った後、携帯電話機は、各ＮＴＣ値及びバッテリパラメータＶの値をリアルタイムでモニタする。「‘補助カメラＢの閉鎖’が許されるかどうか」が「はい」であるとアプリケーションが決定した後、「温度パラメータＮＴＣｉの温度がＹ１（具体的な製品の温度閾値）よりも低い」及び「バッテリ電圧ＶがＹ２（具体的な製品とセットされた閾値）よりも低い」場合に、携帯電話機は、‘補助カメラＢを閉鎖する’動作を実行してよい。この場合に、携帯電話機は、主要カメラＡのみを起動し、携帯電話機のデータに基づきプレビューといったその後の処理を実行してよく、そして、電力消費値はＸ２になる。
【国際調査報告】
2020516094.tif 000013
2020516094.tif 000014
2020516094.tif 000015
2020516094.tif 000016